(57)【要約】  本発明はサトウキビを栽培する方法であって、成熟サトウキビの茎を茎片に切断するステップ、少なくとも1つの節を含有する茎片を湿潤な培地に植えるステップ、茎のもしくは茎片の節から出芽するシュートを取り除くステップ、任意に、新しく出芽したシュートを取り除くステップ（このステップは1回以上繰り返してもよい）、新しく形成したシュートが10〜60cm長さになると、それらが成長点組織を含むようにして取り除くステップ、これらのシュートを成長培地に植えるステップ、シュートから得た苗を少なくとも15℃の温度でシュートを植えた後10〜120日、成長させるステップ、ならびに、成長培地が圃場でなければ、シュートから成長した苗を圃場に植えるか、または、成長培地が圃場である場合、シュートから得た苗を周囲条件に曝すステップを含むものである前記方法である。【選択図】なし【特許請求の範囲】
【請求項１】
以下のステップを含むサトウキビの栽培方法：
(i)  6〜18月齢のサトウキビ植物の茎を茎片に切断するステップ；
(ii)  任意に、ステップ(i)で得た茎片の切断表面を、少なくとも1種の殺菌剤および／または少なくとも1種の殺虫剤および／または少なくとも1種の傷保護剤および／または少なくとも1種の成長調節剤を用いて処理するステップ；
(iii)  (i)または(ii)で得た少なくとも1つの節を含有するこれらの茎片を、湿潤培地に置くステップ；
(iv)  茎片の節から出芽したシュートの頂部を成長点組織上方で切断するステップ；
(v)  任意に、ステップ(iv)で得たシュートの切断表面を、少なくとも1種の殺菌剤および／または少なくとも1種の殺虫剤および／または少なくとも1種の成長調節剤を用いて処理するステップ；
(vi)  任意に、ステップ(iv)または(v)で得た切断シュートから出芽した新しく形成されたシュートの頂部を、成長点組織上方で切断するステップ；
(vii)  任意に、ステップ(vi)で得たシュートの切断表面を、少なくとも1種の殺菌剤および／または少なくとも1種の殺虫剤および／または少なくとも1種の成長調節剤を用いて処理するステップ；
(viii)  任意に、ステップ(vi)および任意にまた、ステップ(vii)を1回または数回繰り返すステップ；
(ix)  ステップ(iv)、(v)、(vi)、(vii)または(viii)で得た切断したシュートから出芽した新しく形成されたシュートが10〜60cm長さになりこれらが少なくとも成長点組織の部分を含んだときに、これらを切断するステップ；
(x)  任意に、ステップ(ix)で得たシュートを、少なくとも1種の殺菌剤および／または少なくとも1種の殺虫剤および／または少なくとも1種の殺線虫剤および／または少なくとも1種の成長調節剤を用いて処理するステップ；
(xi)  ステップ(ix)または(x)で得たシュートを成長培地に植えるステップ；
(xii)  任意に、そのシュートおよび／または成長培地を、植える前、または中、または直後に、少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または少なくとも1種の成長促進菌を用いて処理するステップ；
(xiii)  シュートからの苗を少なくとも15℃の温度にて成長させるステップ；
(xiv)  任意に、成長中の苗および／またはその成長培地を、少なくとも1種の殺菌剤および／または少なくとも1種の殺虫剤および／または少なくとも1種の殺線虫剤および／または少なくとも1種の成長調節剤および／または少なくとも1種の発根能付与剤および／または成長促進菌を用いて処理するステップ；
(xv)  成長培地にシュートを植えた後10〜120日に、もし成長培地が圃場でなければ、シュートから得た苗を圃場（この圃場は任意に少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または成長促進菌を用いて定植前または中に処理されている）に定植するか、または、もし成長培地が圃場である場合、シュートから得た苗を周囲条件に曝すステップ；ならびに
(xvi)  任意に、苗および／または圃場を、圃場に定植中または後にまたは周囲条件に曝した後に、少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または成長促進菌および／または少なくとも1種の鮮度保持ポリマーを用いて処理するステップ。
【請求項２】
ステップ(i)において茎を茎片に切断する前に、6〜18月齢の生きたサトウキビ植物をその成長する場所から除去する、請求項１に記載の方法。
【請求項３】
サトウキビ植物をそれが成長する場所から除去する前または後に、その茎の頂部を下方の茎がなお5〜15節を含むように切断する、請求項２に記載の方法。
【請求項４】
サトウキビ植物または下方の茎を、土壌の上方で破壊または切断することにより除去する、請求項２または３のいずれか1項に記載の方法。
【請求項５】
ステップ(i)で茎下部を、少なくとも1節、好ましくは1〜3節、より好ましくは1または2節、特に1節を含有する茎片に切断する、請求項１〜４のいずれか1項に記載の方法。
【請求項６】
ステップ(iii)で用いる湿分培地が土壌、粘土、栄養溶液、バーミキュライト、ココナッツ繊維、湿潤セルロース材料、水耕系、気耕系、栄養フィルム技術および灌水系、そして、好ましくはバーミキュライトおよびココナッツ繊維から選択される、請求項１〜５のいずれか1項に記載の方法。
【請求項７】
芽が重力軸と相対的に側方に配置するやり方で、茎片を湿潤培地中に配置する、請求項１〜６のいずれか1項に記載の方法。
【請求項８】
ステップ(vi)を行う、請求項１〜７のいずれか1項に記載の方法。
【請求項９】
ステップ(ix)で新しく形成したシュートをそれらが20〜40、好ましくは25〜30cm長さになったときに除去する、請求項１〜８のいずれか1項に記載の方法。
【請求項１０】
ステップ(ix)または(x)で得たシュートを成長培地を含有するコンテナーに植える、請求項１〜９のいずれか1項に記載の方法。
【請求項１１】
コンテナーを温室に置き、ステップ(xiii)において温室で苗をシュートから成長させる、請求項１０に記載の方法。
【請求項１２】
ステップ(xi)において、ステップ(ix)または(x)で得たシュートを成長培地に植え、ホイルで覆って成長させる、請求項１〜１１のいずれか1項に記載の方法。
【請求項１３】
ステップ(xiii)において、18〜35℃、好ましくは22〜35℃、そして特に25〜35℃の温度で苗をシュートから成長させる、請求項１〜１２のいずれか1項に記載の方法。
【請求項１４】
ステップ(xiii)において、40〜100％、好ましくは50〜95％、そしてより好ましくは70〜90％の湿度で苗をシュートから成長させる、請求項１〜１３のいずれか1項に記載の方法。
【請求項１５】
ステップ(xiv)において、成長する苗および／またはそれらの成長培地を、少なくとも1種のストロビルリン殺菌剤および／または少なくとも1種のGABAアンタゴニスト殺虫剤および任意にまた、少なくとも1種のそれらと異なる殺菌剤および／または少なくとも1種のそれらと異なる殺虫剤および／または少なくとも1種の殺線虫剤および／または少なくとも1種の成長調節剤および／または少なくとも1種の発根能付与剤および／または成長促進菌を用いて処理する、請求項１〜１４のいずれか1項に記載の方法。
【請求項１６】
少なくとも1種のストロビルリン殺菌剤がアゾキシストロビン、ジモキシストロビン、エネストロブリン、フルオキサストロビン、クレソキシム-メチル、メトミノストロビン、オリサストロビン、ピコキシストロビン、ピラクロストロビン、ピラオキシストロビン、ピラメトストロビン、ピリベンカルブ、トリフロキシストロビン、2-(2-(6-(3-クロロ-2-メチル-フェノキシ)-5-フルオロ-ピリミジン-4-イルオキシ)-フェニル)-2-メトキシイミノ-N-メチル-アセトアミド、3-メトキシ-2-(2-(N-(4-メトキシ-フェニル)-シクロプロパン-カルボキシミドイルスルファニルメチル)-フェニル)-アクリル酸メチルエステル、メチル(2-クロロ-5-[1-(3-メチルベンジルオキシイミノ)エチル]ベンジル)カーバメートおよび2-(2-(3-(2,6-ジクロロフェニル)-1-メチル-アリリデンアミノオキシメチル)-フェニル)-2-メトキシイミノ-N-メチル-アセトアミドから選択される、請求項１５に記載の方法。
【請求項１７】
ストロビルリン殺菌剤がピラクロストロビンである、請求項１６に記載の方法。
【請求項１８】
少なくとも1種のGABAアンタゴニストがアセトプロール、エンドスルファン、バニリプロール、ピラフルプロール、ピリプロール、式II：
【化１】
2014511705.tif 000004
［式中、RaはC1〜C4-アルキルまたはC1〜C4-ハロアルキルである］
のフェニルピラゾール化合物またはその農学的に許容される塩；
および式 III：
【化２】
2014511705.tif 000005
のフェニルピラゾール化合物またはその農学的に許容される塩から選択される請求項１５に記載の方法。
【請求項１９】
GABAアンタゴニストがフィプロニルである、請求項１８に記載の方法。
【請求項２０】
シュートを定植するコンテナーが生物分解性である、請求項１０または１１に記載の方法。
【請求項２１】
ステップ(xv)において、苗をコンテナーから取り出すことなく圃場に定植する、請求項２０に記載の方法。
【請求項２２】
生物分解性コンテナーが生物分解性ポリエステル、デンプン、セルロース、セルロース系材料、ポリ乳酸、ゴム、紙、ボール紙、セルロース起源のパルプ、藁、絞り滓、おがくず、天然繊維またはそれらの混合物に基づく生物分解性材料を含むものである、請求項２０または２１に記載の方法。
【請求項２３】
ステップ(xv)において、苗の圃場への定植を自動化または半自動化定植機を用いて行う、請求項１〜２２のいずれか1項に記載の方法。
【請求項２４】
ステップ(xv)苗の圃場への定植または苗の周囲条件への曝露を、ステップ(xiii)における成長培地のシュートの定植後、25〜80日、好ましくは40〜70日に行う、請求項１〜２３のいずれか1項に記載の方法。
【請求項２５】
少なくとも1種の殺菌剤が下記：
A)  アゾール類：アザコナゾール、ビテルタノール、ブロムコナゾール、シプロコナゾール、ジフェノコナゾール、ジニコナゾール、ジニコナゾール-M、エポキシコナゾール、エタコナゾール、フェンブコナゾール、フルキンコナゾール、フルシラゾール、フルトリアホール、ヘキサコナゾール、イミベンコナゾール、イプコナゾール、メトコナゾール、ミクロブタニル、オキスポコナゾール、パクロブトラゾール、ペンコナゾール、プロピコナゾール、プロチオコナゾール、シメコナゾール、テブコナゾール、テトラコナゾール、トリアジメホン、トリアジメノール、トリチコナゾール、ウニコナゾール、1-(4-クロロ-フェニル)-2-([1,2,4]トリアゾール-1-イル)-シクロヘプタノール、シアゾファミド、イマザリル、ペフラゾエート、プロクロラズ、トリフルミゾール、ベノミル、カルベンダジム、フベリダゾール、チアベンダゾール、エタボキサム、エトリジアゾール、ヒメキサゾールおよび2-(4-クロロ-フェニル)-N-[4-(3,4-ジメトキシ-フェニル)-イソオキサゾール-5-イル]-2-プロパ-2-イニルオキシ-アセトアミドから成る群より選択される；
B)  ストロビルリン類：アゾキシストロビン、ジモキシストロビン、エネストロブリン、フルオキサストロビン、クレソキシム-メチル、メトミノストロビン、オリサストロビン、ピコキシストロビン、ピラクロストロビン、ピラオキシストロビン、ピラメトストロビン、ピリベンカルブ、トリフロキシストロビン、2-(2-(6-(3-クロロ-2-メチル-フェノキシ)-5-フルオロ-ピリミジン-4-イルオキシ)-フェニル)-2-メトキシイミノ-N-メチル-アセトアミド、3-メトキシ-2-(2-(N-(4-メトキシ-フェニル)-シクロプロパン-カルボキシミドイルスルファニルメチル)-フェニル)-アクリル酸 メチル エステル、メチル (2-クロロ-5-[1-(3-メチルベンジルオキシイミノ)エチル]ベンジル)カーバメート および 2-(2-(3-(2,6-ジクロロフェニル)-1-メチル-アリリデンアミノオキシメチル)-フェニル)-2-メトキシイミノ-N-メチル-アセトアミドから成る群より選択される；
C)  カルボキサミド類：ベナラキシル、ベナラキシル-M、ベノダニル、ビキサフェン、ボスカリド、カルボキシン、フェンフラム、フェンヘキサミド、フルトラニル、フラメトピル、イソピラザム、イソチアニル、キララキシル、メプロニル、メタラキシル、メタラキシル-M(メフェノキサム)、オフレース、オキサジキシル、オキシカルボキシン、ペンチオピラド、セダキサン、テクロフタラム、チフルザミド、チアジニル、2-アミノ-4-メチル-チアゾール-5-カルボキシアニリド、2-クロロ-N-(1,1,3-トリメチル-インダン-4-イル)-ニコチンアミド、N-(3',4',5'-トリフルオロビフェニル-2-イル)-3-ジフルオロメチル-1-メチル-1H-ピラゾール-4-カルボキサミド(フルキサピロキセード)、N-(4'-トリフルオロメチルチオビフェニル-2-イル)-3-ジフルオロメチル-1-メチル-1H-ピラゾール-4-カルボキサミド、N-(2-(1,3-ジメチル-ブチル)-フェニル)-1,3-ジメチル-5-フルオロ-1H-ピラゾール-4-カルボキサミドおよびN-(2-(1,3,3-トリメチル-ブチル)-フェニル)-1,3-ジメチル-5-フルオロ-1H-ピラゾール-4-カルボキサミド、ジメトモルフ、フルモルフ、ピリモルフ、フルメトベル、フルオピコリド、フルオピラム、ゾキサミド、N-(3-エチル-3,5,5-トリメチル-シクロヘキシル)-3-ホルミルアミノ-2-ヒドロキシ-ベンズアミド、カルプロパミド、ジシクロメト、マンジプロアミド、オキシテトラサイクリン、シルチオファムおよびN-(6-メトキシ-ピリジン-3-イル)シクロプロパンカルボン酸アミドから成る群より選択される；
D)  ヘテロ環式化合物：フルアジナム、ピリフェノックス、3-[5-(4-クロロ-フェニル)-2,3-ジメチル-イソオキサゾリジン-3-イル]-ピリジン、3-[5-(4-メチル-フェニル)-2,3-ジメチル-イソオキサゾリジン-3-イル]-ピリジン、2,3,5,6-テトラ-クロロ-4-メタンスルホニル-ピリジン、3,4,5-トリクロロピリジン-2,6-ジ-カルボニトリル、N-(1-(5-ブロモ-3-クロロ-ピリジン-2-イル)-エチル)-2,4-ジクロロニコチンアミド、N-[(5-ブロモ-3-クロロ-ピリジン-2-イル)-メチル]-2,4-ジクロロ-ニコチンアミド、ブピリメート、シプロジニル、ジフルメトリム、フェナリモル、フェリムゾン、メパニピリム、ニトラピリン、ヌアリモール、ピリメタニル、トリホリン、フェンピクロニル、フルジオキソニル、アルジモルフ、ドデモルフ、ドデモルフ-酢酸、フェンプロピモルフ、トリデモルフ、フェンプロピジン、フルオロイミド、イプロジオン、クロゾリネート、プロシミドン、ビンクロゾリン、ファモキサドン、フェナミドン、フルチアニル、オクチリノン、プロベナゾール、5-アミノ-2-イソプロピル-3-オキソ-4-オルト-トリル-2,3-ジヒドロ-ピラゾール-1-カルボチオ酸S-アリルエステル、アシベンゾラル-S-メチル、アミスルブロム、アニラジン、ブラストサイジン-S、カプタホル、カプタン、チノメチオナート、ダゾメット、デバカルブ、ジクロメジン、ジフェンゾコート、ジフェンゾコート-硫酸メチル、フェノキサニル、ホルペット、オキソリン酸、ピペラリン、プロキナジド、ピロキロン、キノキシフェン、トリアゾキシド、トリシクラゾール、2-ブトキシ-6-ヨード-3-プロピルクロメン-4-オン、5-クロロ-1-(4,6-ジメトキシ-ピリミジン-2-イル)-2-メチル-1H-ベンズイミダゾール、5-クロロ-7-(4-メチルピペリジン-1-イル)-6-(2,4,6-トリフルオロフェニル)-[1,2,4]トリアゾロ[1,5-a]ピリミジンおよび5-エチル-6-オクチル-[1,2,4]トリアゾロ[1,5-a]ピリミジン-7-イルアミンから成る群より選択される；
E）  カーバメート類：フェルバム、マンコゼブ、マンネブ、メタム、メタスルホカルブ、メチラム、プロピネブ、チラム、ジネブ、ジラム、ベンチアバリカルブ、ピリブチカルブ、ジエトフェンカルブ、イプロバリカルブ、ヨドカルブ、プロパモカルブ、プロパモカルブ塩酸塩、プロチオカルブ、バリフェナルおよびN-(1-(1-(4-シアノ-フェニル)エタンスルホニル)-ブタ-2-イル)カルバミン酸-(4-フルオロフェニル)エステルから成る群より選択される；
F）  他の活性化合物：
-  グアニジン：グアニジン、ドジン、ドジン遊離塩基、グアザチン、グアザチン-酢酸塩、イミノクタジン、イミノクタジン-トリアセテート、イミノクタジン-トリス(アルベシレート)；
-  抗生物質：カスガマイシン、カスガマイシン塩酸塩-水和物、ストレプトマイシン、ポリオキシン、バリダマイシンA；
-  ニトロフェニル誘導体：ビナパクリル、ジノブトン、ジノカップ、メプチルジノカップ、ニトロタール-イソプロピル、テクナゼン；
-  有機金属化合物：フェンチン塩、例えば、フェンチン-酢酸塩、フェンチンクロリドまたはフェンチン水酸化物；
-  硫黄含有ヘテロシクリル化合物：ジチアノン、イソプロチオラン；
-  有機リン化合物：エジフェンホス、ホセチル、ホセチルアルミニウム、イプロベンホス、亜リン酸およびその塩、ピラゾホス、トルクロホス-メチル；
-  有機塩素化合物：クロロタロニル、ジクロフルアニド、ジクロロフェン、フルスルファミド、ヘキサクロロベンゼン、ペンシクロン、ペンタクロロフェノールおよびその塩、フタリド、キントゼン、チオファネート-メチル、トリルフルアニド、N-(4-クロロ-2-ニトロ-フェニル)-N-エチル-4-メチル-ベンゼンスルホンアミド；
-  無機活性物質：ボルドー混合物、酢酸銅、水酸化銅、オキシ塩化銅、塩基性硫酸銅、硫黄；
-  その他：ビフェニル、ブロノポル、シフルフェナミド、クロロネブ、シモキサニル、ジクロラン、テクナゼン、ジフェニルアミン、メトラフェノン、ミルジオマイシン、オキシン-銅、プロヘキサジオン-カルシウム、スピロキサミン、トリルフルアニド、N-(シクロプロピルメトキシイミノ-(6-ジフルオロ-メトキシ-2,3-ジフルオロ-フェニル)-メチル)-2-フェニルアセトアミド、N'-(4-(4-クロロ-3-トリフルオロメチル-フェノキシ)-2,5-ジメチル-フェニル)-N-エチル-N-メチルホルムアミジン、N'-(4-(4-フルオロ-3-トリフルオロメチル-フェノキシ)-2,5-ジメチル-フェニル)-N-エチル-N-メチルホルムアミジン、N'-(2-メチル-5-トリフルオロメチル-4-(3-トリメチルシラニル-プロポキシ)-フェニル)-N-エチル-N-メチルホルムアミジン、N'-(5-ジフルオロメチル-2-メチル-4-(3-トリメチルシラニル-プロポキシ)-フェニル)-N-エチル-N-メチルホルムアミジン、2-{1-[2-(5-メチル-3-トリフルオロメチル-ピラゾール-1-イル)-アセチル]-ピペリジン-4-イル}-チアゾール-4-カルボン酸メチル-(1,2,3,4-テトラヒドロ-ナフタレン-1-イル)-アミド、2-{1-[2-(5-メチル-3-トリフルオロメチル-ピラゾール-1-イル)-アセチル]-ピペリジン-4-イル}-チアゾール-4-カルボン酸メチル-(R)-1,2,3,4-テトラヒドロ-ナフタレン-1-イル-アミド、酢酸6-tert.-ブチル-8-フルオロ-2,3-ジメチル-キノリン-4-イルエステルおよびメトキシ-酢酸6-tert-ブチル-8-フルオロ-2,3-ジメチル-キノリン-4-イルエステルから成る群より選択される；
ならびに
G）  生物学的制御剤
から選択される、請求項１〜２５のいずれか1項に記載の方法。
【請求項２６】
生物学的制御剤が非病原性細菌、好ましくは、Pseudomonas fluorescens、Pseudomonas putida、Streptomyces griseus、Streptomyces ochraceisleroticus、Streptomyces graminofaciens、Streptomyces corchousii、Streptomyces spiroverticillatus、Streptomyces griseovirdis、Streptomyces hygroscopicus、Bacillus subtilis、Bacillus cereus、Bacillus mycoides、Bacillus pumilus、Bacillus licheniformis、Bacillus thuringensis、および前記細菌から産生される代謝産物；非病原性真菌、好ましくはトリコデルマ（Trichoderma）種、Trichoderma harzianum、Trichoderma viridae、Verticillium lecanii、Sporidesmium sclerotiorum およびZygomycetes、および前記真菌から産生される代謝産物；および樹脂酸、オオイタドリ（Reynoutria sachalinensis）の植物抽出物；ならびに植物防御誘導剤、好ましくはハーピン（harpin）から選択される、請求項２５に記載の方法。
【請求項２７】
少なくとも1種の殺菌剤がシプロコナゾール、ジフェノコナゾール、エポキシコナゾール、フルキンコナゾール、フルシラゾール、フルトリアホール、メトコナゾール、ミクロブタニル、ペンコナゾール、プロピコナゾール、プロチオコナゾール、トリアジメホン、トリアジメノール、テブコナゾール、テトラコナゾール、トリチコナゾール、プロクロラズ、シアゾファミド、ベノミル、カルベンダジム、エタボキサム、アゾキシストロビン、ジモキシストロビン、フルオキサストロビン、フルキサピロキセード、クレソキシム-メチル、オリサストロビン、ピコキシストロビン、ピラクロストロビン、トリフロキシストロビン、ビキサフェン、ボスカリド、セダキサン、フェンヘキサミド、メタラキシル、イソピラザム、メフェノキサム、オフレース、ジメトモルフ、フルモルフ、フルピコリド(ピコベンザミド)、ゾキサミド、カルプロパミド、マンジプロパミド、フルアジナム、シプロジニル、フェナリモル、メパニピリム、ピリメタニル、トリホリン、フルジオキソニル、ドデモルフ、フェンプロピモルフ、トリデモルフ、フェンプロピジン、イプロジオン、ビンクロゾリン、ファモキサドン、フェナミドン、プロベナゾール、プロキナジド、アシベンゾラル-S-メチル、カプタホル、ホルペット、フェノキサニル、キノキシフェン、5-エチル-6-オクチル-[1,2,4]トリアゾロ[1,5-a]ピリミジン-7-イルアミン、マンコゼブ、メチラム、プロピネブ、チラム、イプロバリカルブ、フルベンチアバリカルブ(ベンチアバリカルブ)、プロパモカルブ、ジチアノン、フェンチン塩、ホセチル、ホセチル-アルミニウム、H3PO3およびそれらの塩、クロルタロニル、ジクロフルアニド、チオファナト-メチル、酢酸銅、水酸化銅、オキシ塩化銅、硫酸銅、硫黄、シモキサニル、メトラフェノン、スピロキサミンおよび枯草菌（Bacillus subtilis）およびその代謝産物から選択される、請求項２５または２６のいずれか1項に記載の方法。
【請求項２８】
少なくとも1種の殺菌剤がアゾキシストロビン、ジモキシストロビン、フルオキサストロビン、フルキサピロキセード、クレソキシム-メチル、オリサストロビン、ピコキシストロビン、ピラクロストロビン、トリフロキシストロビンならびに枯草菌（Bacillus subtilis）およびその代謝物から選択され、そして好ましくはピラクロストロビンである、請求項２７に記載の方法。
【請求項２９】
少なくとも1種の殺虫剤が
a)  ピレスロイド化合物：アクリナトリン、アレトリン、d-cis-transアレトリン、d-transアレトリン、ビフェントリン、ビオアレトリン、ビオアレトリンS-シクロペンテニル、ビオレスメトリン、シクロプロトリン、シフルトリン、β-シフルトリン、シハロトリン、λ-シハロトリン、γ-シハロトリン、シペルメトリン、α-シペルメトリン、β-シペルメトリン、θ-シペルメトリン、ζ-シペルメトリン、シフェノトリン、デルタメトリン、エンペトリン、エスフェンバレレート、エトフェンプロックス、フェンプロパトリン、フェンバレレート、フルシトリネート、フルメトリン、τ-フルバリネート、ハルフェンプロックス、イミプロトリン、メトフルトリン、ペルメトリン、フェノトリン、パレトリン、プロフルトリン、ピレトリン（pyrethrum）、レスメトリン、シラフルオフェン、テフルトリン、テトラロメトリン、トラロメトリンおよびトランスフルトリンから選択される；
b)  ニコチン受容体アゴニスト／アンタゴニスト化合物：アセトアミプリド、ベンスルタップ、カルタップ塩酸塩、クロチアニジン、ジノテフラン、イミダクロプリド、チアメトキサム、ニテンピラム、ニコチン、スピノサド（アロステリックアゴニスト）、スピネトラム（アロステリックアゴニスト）、チアクロプリド、チオシクラム、チオスルタップ-ナトリウムおよびAKD1022から選択される；
c)  GABA依存性クロライドチャネルアンタゴニスト化合物：クロルダン、エンドスルファン、γ-HCH（リンダン）；エチプロール、フィプロニル、ピラフルプロールおよびピリプロールから選択される；
d)  クロライドチャネルアクチベーター：アバメクチン、エマメクチン安息香酸塩、ミルベメクチンおよびレピメクチンから選択される；および
e)  キチン生合成のインヒビター：e1）ベンゾイル尿素：ビルトリフロン、クロルフルアズロン、ジフルベンズロン、フルシクロクスロン、フルフェノクスロン、ヘキサフルムロン、ルフェヌロン、ノバルロン、ノビフルムロン、テフルベンズロン、トリフルムロンから選択される；
から選択される、請求項１〜２８のいずれか1項に記載の方法。
【請求項３０】
少なくとも1種の殺虫剤がフィプロニル、アセトアミプリド、クロチアニジン、イミダクロプリド、チアメトキサム、テフルベンズロンおよびアバメクチンから選択される、請求項２９に記載の方法。
【請求項３１】
少なくとも1種の殺線虫剤が
-  抗生物質 殺線虫剤、例えばアバメクチン；
-  植物殺線虫剤、例えば、カルバクロール；
-  キラヤ属またはサイカチ属の抽出物；
-  サポニン；
-  カーバメート殺線虫剤：ベノミル、カルボフラン、カルボスルファンおよびクロエトカルブから選択される；
-  オキシムカーバメート殺線虫剤：アラニカルブ、アルジカルブ、アルドキシカブ、オキサミルおよびチルペート（tirpate）から選択される；
-  燻蒸殺線虫剤：ジチオエーテルおよび臭化メチルから選択される；
-  有機リン殺線虫剤：
-  有機リン酸殺線虫剤：ジアミダホス；フェナミホス；ホスチエタンおよびホスファミドンから選択される；
-  有機チオリン酸殺線虫剤：カズサホス、クロルピリホス、ジクロロフェンチオン、ジメトエート、エトプロホス、フェンスルホチオン、ホスチアザート、ヘテロホス、イサミドホス、イサザホス、ホラート、ホスホカルブ、テルブホス、チオナジンおよびトリアゾホスから選択される；
-  ホスホノチオエート殺線虫剤：イミシアホスおよびメカルホンから選択される；および
-  未分類の殺線虫剤：アセトプロール、ベンクロチアズ、クロロピクリン、ダゾメット、DBCP、DCIP、1,2-ジクロロプロパン、1,3-ジクロロプロペン、フルエンスルホン、フルフラール、メタム、メチルヨウ化物、メチルイソチオシアネートおよびキシレノールから選択される；
から選択される、請求項１〜３０のいずれか1項に記載の方法。
【請求項３２】
成長促進菌がアゾスピリルム、アゾトバクター、アゾモナス、バシラス、ベイエリンキア、バークホルデリア、クロストリジウム、シアノバクテリア、エンテロバクター、エルウイニア、グルコノバクター、クレブシエラおよびストレプトマイセス属の細菌から選択される、請求項１〜３１のいずれか1項に記載の方法。
【請求項３３】
成長促進菌がAzospirillum amazonense、Herbaspirillum seropedicae、Herbaspirillum rubrisubalbicans、Burkholderia tropica、Gluconacetobacter diazotrophicus、Pseudomonas fluorescens、Pseudomonas putida. Streptomyces griseus、Streptomyces ochraceisleroticus、Streptomyces graminofaciens、Streptomyces corchousii、Streptomyces spiroverticillatus、Streptomyces griseovirdis、Streptomyces hygroscopicus、Bacillus subtilis、Bacillus cereus、Bacillus mycoides、Bacillus pumilus、Bacillus licheniformisおよびBacillus thuringensisから選択される、請求項３２に記載の方法。
【請求項３４】
少なくとも1種の成長調節剤がアシルシクロヘキサンジオン、メピクワットクロリドおよびクロルメクワットクロリドから、好ましくはプロヘキサジオン、プロヘキサジオン-Ca、トリネキサパク、トリネキサパク-エチル、メピクワットクロリドおよびクロルメクワットクロリドから選択される、請求項１〜３３のいずれか1項に記載の方法。
【請求項３５】
少なくとも1種の発根能付与剤がストロビルリン殺菌剤、ニコチン受容体アゴニスト／アンタゴニスト、オーキシン、ジベルリン、ジベリン酸、シトキニン、フミン酸、キラヤ属もしくはサイカチ属の抽出物、サポニン、生物学的制御剤および 植物防御誘導剤から選択される、請求項１〜３４のいずれか1項に記載の方法。
【請求項３６】
傷保護材料が無毒の無機および有機フィルム形成またはコーティングポリマーから選択される、請求項１〜３５のいずれか1項に記載の方法。
【請求項３７】
傷保護材料が超吸収剤、超吸収剤処理済みポリマー、脂肪族-芳香族コポリマー、鮮度保持ポリマー、ワックス、可溶性ガラスおよびTingui種子コート調製物から選択される、請求項３６に記載の方法。
【発明の詳細な説明】
【技術分野】
【０００１】
本発明はサトウキビを栽培する方法であって、成熟サトウキビの茎を茎片に切断するステップ、少なくとも1つの節を含有する茎片を湿潤な培地に置くステップ、茎のもしくは茎片の節から出芽するシュートを取り除くステップ、任意に、新しく出芽したシュートを取り除くステップ（このステップは1回以上繰り返してもよい）、新しく形成したシュートが10〜60cm長さになると、成長点組織を含むようにしてそれらを取り除くステップ、これらのシュートを成長培地に植えるステップ、シュートから得た苗を少なくとも15℃の温度にて成長させるステップ、およびシュートを植えた後10〜120日に成長培地が圃場でなければ、シュートから成長した苗を圃場に植えるか、または、成長培地が圃場である場合は、シュートから得た苗を外界条件に曝すステップを含むものである前記方法である。
【背景技術】
【０００２】
化石燃料の有限性を考慮して、バイオ燃料が重要なエネルギー源として見直されている。サトウキビはさらにバイオ燃料（バイオエタノール）の生産に用いられる植物の1つであり、これらの発酵により得られるアルコールは再生可能でクリーンな燃料を提供するので、さらなる発展が約束されている。サトウキビの栽植面積ならびにこれからアルコールを生産する工場の投資は全世界で増加しつつある。
【０００３】
サトウキビの種子は、単一心皮から形成された乾いた1つの種子をもつ果実または穎果であり、その子房壁（果皮）は種皮（testa）と一体化している。種子は卵形、黄褐色であり、かつ非常に小さく、約1mm長さである。不利なことに、サトウキビの種子は特定の環境特性、例えば、一定の温暖かつ湿潤な気候条件のもとでのみ出芽する。かかる気候条件はサトウキビを育てるあらゆる場所で見られるわけではなく、それ故に、サトウキビ種子の出芽は常に保証されていない。商業ベースの農業のために、サトウキビの種子を播くまたは植えることはなく、代わりに、幹分節（または茎もしくは稈もしくは苗の一部分）を植えることにより茎を植物として繁殖させる。以上述べたように、サトウキビの幹は、イネ科植物の幹と同じ様に、いくつかの節を含み、その節から新しい植物が成長する。伝統的なサトウキビの定植プロセスは、節が幹に含まれるので、改植用の植物の供給源として用いる作物の面積の留保が必要である。改植に用いる植物を収穫し、次いで、それぞれの幹セグメント（sett）中に少なくとも2つの節が存在する様にして、ほぼ20〜50cmのセグメントに切断する。幹の切断は頂芽優性を破壊するために必要であり、そうしないで全長（未切断）幹を用いると発芽低下を生じる。全ての芽が発芽しないので、セグメントは少なくとも2つの芽（または少なくとも2つの節；各節は概して1つの芽を生じる）を有するように切断して、発芽を確実にしなければならない。サトウキビのセグメントを切断するために用いる現行の機械は幹の特徴を特定することができないので、正確な切断部位の位置は無作為に決定される。切断後、幹セグメントを水平に、地表の広くかつ深い（40〜50cm幅および30〜40cm深さ）耕土の畔間にお互いに重ねて配置し、次いで土壌で軽く覆う。
【０００４】
この定植技法は現在も使われるが、2〜4節の多数のセグメントを用いて出芽を確実にしなければならないので、全体のプロセスは比較的非効率である。その結果、再定植のために広い面積を用いる必要があり、それ故に、作物およびアルコールもしくは砂糖の生産に利用しうる面積を再定植のために留保しなければならない。従って、サトウキビの定植技法の効率を向上する必要がある。
【０００５】
さらに最近のSyngenta社の栽培方法（Plene（登録商標）と呼ぶ）においては、長さ4cm未満の節を幹から切り離し、Syngenta社の種子関連製品で処理して次いで圃場に定植する。この方法は15％までの収率増加をもたらすと言われる。しかし、増殖に必要な面積はそれでも非常に大きい。同様な栽培方法はまた、WO 2009/000398、WO 2009/000399、WO 2009/000400、WO 2009/000401およびWO 2009/000402に記載されている。
【０００６】
JP 08-280244は、サトウキビの側芽から芽を出芽させ、これらの芽を成長させ、成長した芽の頂部を取り除き、それにより切断した芽の側芽から新しい芽を出芽させ、そしてこのプロセスのステップを1もしくは数回繰り返すことにより、サトウキビ苗を生産する方法を記載している。このプロセスはサトウキビ苗の大量生産を可能にすると言われている。同様な方法はJP 2003-204716およびJP 2000-135025に記載されている。
【先行技術文献】
【特許文献】
【０００７】
【特許文献１】WO 2009/000398
【特許文献２】WO 2009/000399
【特許文献３】WO 2009/000400
【特許文献４】WO 2009/000401
【特許文献５】WO 2009/000402
【特許文献６】JP 08-280244
【特許文献７】JP 2003-204716
【特許文献８】JP 2000-135025
【発明の概要】
【発明が解決しようとする課題】
【０００８】
従って、本発明の目的は、サトウキビを栽培する方法であって、必要な増殖面積を明らかに小さくし、増殖面積の使用をより短時間にし、増殖の栽培面積への依存をより少なくし、そして健康で耐性のある植物を得ることを特徴とする前記方法を提供することにある。
【課題を解決するための手段】
【０００９】
この目的は、以下のステップを含むサトウキビの栽培方法により達成される：
(i)  6〜18月齢のサトウキビ植物の茎を茎片に切断するステップ；
(ii)  任意に、ステップ(i)で得た茎片の切断表面を、少なくとも1種の殺菌剤および／または少なくとも1種の殺虫剤および／または少なくとも1種の傷保護剤および／または少なくとも1種の成長調節剤を用いて処理するステップ；
(iii)  (i)または(ii)で得た少なくとも1つの節を含有するこれらの茎片を湿潤培地中に配置するステップ；
(iv)  茎片の節から出芽したシュートの頂部を成長点組織上方で切断するステップ；
(v)  任意に、ステップ(iv)で得た側方シュートの切断表面を、少なくとも1種の殺菌剤および／または少なくとも1種の殺虫剤および／または少なくとも1種の成長調節剤を用いて処理するステップ；
(vi)  任意に、ステップ(iv)または(v)で得た切断シュートから出芽した新しく形成されたシュートの頂部を、成長点組織上方で切断するステップ；
(vii)  任意に、ステップ(vi)で得た側方シュートの切断表面を、少なくとも1種の殺菌剤および／または少なくとも1種の殺虫剤および／または少なくとも1種の成長調節剤を用いて処理するステップ；
(viii)  任意に、ステップ(vi)および任意にまた、ステップ(vii)を1回または数回繰り返すステップ；
(ix)  ステップ(iv)、(v)、(vi)、(vii)または(viii)で得た切断したシュートから出芽した新しく形成された側方シュートが10〜60cm長さになりこれらが少なくとも成長点組織の部分を含んだときに、これらを切断するステップ；
(x)  任意に、ステップ(ix)で得たシュートを、少なくとも1種の殺菌剤および／または少なくとも1種の殺虫剤および／または少なくとも1種の殺線虫剤および／または少なくとも1種の成長調節剤を用いて処理するステップ；
(xi)  ステップ(ix)または(x)で得たシュートを成長培地に植えるステップ；
(xii)  任意に、そのシュートおよび／または成長培地を、植える前、または中、または直後に、少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または少なくとも1種の成長促進菌を用いて処理するステップ；
(xiii)  シュートからの苗を少なくとも15℃の温度にて成長させるステップ；
(xiv)  任意に、成長中の苗および／またはその成長培地を、少なくとも1種の殺菌剤および／または少なくとも1種の殺虫剤および／または少なくとも1種の殺線虫剤および／または少なくとも1種の成長調節剤および／または少なくとも1種の発根能付与剤および／または成長促進菌を用いて処理するステップ；
(xv)  成長培地にシュートを植えた後10〜120日に、もし成長培地が圃場でなければ、シュートから得た苗を圃場（この圃場は任意に少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または成長促進菌を用いて定植前または中に処理されている）に定植するか、または、もし成長培地が圃場である場合、シュートから得た苗を周囲条件に曝すステップ；ならびに
(xvi)  任意に、苗および／または圃場を、圃場に定植中または後にまたは周囲条件に曝した後に、少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または成長促進菌および／または少なくとも1種の鮮度保持ポリマーを用いて処理するステップ。
【発明を実施するための形態】
【００１０】
本発明の用語において、「幹」はイネ科植物（ここではサトウキビ植物）の稈部分の茎、すなわち、植物の主幹、具体的には、植物の芽およびシュートを発生する主な体軸である。
【００１１】
「幹セグメント（sett）」は1以上の節を有する幹セグメント、セクションまたは切片である。
【００１２】
「節」は、イネ科植物（ここではサトウキビ植物）においてシュート、芽または無性芽が形成される幹上の場所である。
【００１３】
「シュート」、「芽」または「無性芽」はイネ科植物（ここではサトウキビ植物）の胚（enbryo）、胞子または胚（germ）である。
【００１４】
「出芽する／出芽」はシュート／芽から新しい植物の発生である。
【００１５】
「苗（Seedling）」はシュート／芽から発生／出芽する若い植物である。本発明の用語において、若い植物は、シュートを圃場でない成長培地で成長させる場合、出芽から始まって圃場に植えるまで、または、シュートを直接圃場に植える場合、若い植物を周囲条件に曝すまで、「苗」と呼ばれる。
【００１６】
本発明の特徴の好ましい実施形態に対する以下の注釈は単独ならびに特にお互いの組み合わせの両方に適用される。
【００１７】
除去した植物の幹がステップ(i)で茎片に切断される場合、頂芽優性は破壊される。
【００１８】
「頂芽優性」は植物の主な中央幹が側幹より優性である植物生理の一現象である。頂芽は成長ホルモンであるオーキシンを産生してこれが下方に拡散し、そうでなければ頂端と競合しうる側芽成長の発生を抑制する。オーキシン流動を妨げて頂芽優性を破壊すると、それより低い休眠側芽の発生が可能になる。
【００１９】
頂芽優性を破壊することにより、下方の残存する植物の節からの側方シュートの出芽が誘導される。通常、それぞれの生産性の節は平均して1シュートを産生する。勿論、非生産性の節および1より多いシュートを産生する生産性の節は存在するが、生産性の節のほとんどは1シュートを生じる。これらの側方シュートの一部分をステップ(iv)で除去すると、1節当たり（または、より正確には、残りの最初の、元来の側方の1シュート当たり）2つ以上の側方シュートの産生を引き起す。通常、それぞれの生産性の節は平均3つのシュートを産生する。この場合にも、2つ以下のシュートを産生する節または4つ以上のシュートを産生する節は存在するが、ほとんどの節は3つのシュートを生じる。要するに、ステップ(ix)において、ステップ(vi)および(viii)を行うかどうかに応じて、ステップ(iv)より平均3〜6倍多いシュートが取り出される。従って、本発明の方法においては、ステップ(i)で用いた各サトウキビ植物は平均10〜12苗を生じ、これは通常の定植で得る数の平均3倍である。JP 08-280244、JP 2003-204716およびJP 2000-135025に記載の方法と比較して、増殖面積の必要な時間、すなわち、母植物が所要の年齢に到達するまでに必要な時間は短い、何故なら、シュートと苗の増殖を農地とは独立した任意の場所で、非常に合理化された空間とマンパワーを利用して行うことができるからである。
【００２０】
ステップ(i)は好ましくはサトウキビ植物が8〜12月齢になると行う。
【００２１】
サトウキビ植物の茎は現場で、すなわち、サトウキビを育てたところで、茎が未だ根と繋がっている間に茎片に切断してもよいが、現実的な理由で、最初にサトウキビ植物を育てた場所から取り除いた後に、茎を茎片に切断するのが好ましい。
【００２２】
節がなお新しいシュートを生じうることを確実にするために、植物を育てた現場から除去するステップとその茎を茎片に切断するステップとの間の時間間隔は長過ぎてはならない。しかし最大の時間間隔は除去する植物またはその茎の貯蔵条件により影響されうる。例えば、湿潤条件下の貯蔵は最大時間間隔を延長しうる。しかし、植物を育てた場所から取り出した後に直ぐ、例えば、植物を育てた場所から取り出した後にせいぜい7日、好ましくはせいぜい5日、より好ましくはせいぜい3日、そして特にせいぜい2日に、茎を茎片に切断することが好ましい。
【００２３】
もしサトウキビ植物を育てた場所から取り出した後に茎を茎片に切断するのであれば、サトウキビ植物を育てた場所から取り出す前後に（茎を茎片に切断する前であるが）、茎の頂部を茎がなお約5〜15、好ましくは8〜15、そして特に8〜12節を含むように切断することが好ましい。より好ましくは、茎の頂部を切断した後にサトウキビ植物を育てた場所から取り出す。もし最後の頂上節が切断頂部の部分であれば、この切断はまた、頂芽優性の破壊を助けるが、この目的のために必要なステップではない、というのは、これは茎の茎片への切断によりいずれ実現されるからである。頂部の切断は、それに関わらず、実用的な理由、例えば「頭部切断した」茎の輸送および取扱いの容易さの故に好ましい実施形態である。
【００２４】
本発明の文脈における「切断」は、頂部を除去する任意の好適な手順、例えば、ナイフ、山刀、斧、鋸、または任意の好適な機械を用いる切断、切り取り、鋸切り、または頂部の手作業による破壊もしくは引き裂きを意味する。
【００２５】
植物の頂部の除去は手作業でまたは自動化で行うことができる。
【００２６】
植物またはその「頭部切断した」茎をその地下部分と一緒に除去してもよい。これは、任意の好適な手段、例えば、根こそぎ、根の掘り出し、または根のすき出しにより行ってもよい。除去は手作業でまたは自動化で行ってもよい。続いて、好ましくは（元来の）地下部分を茎から除去する。茎からの地下部分の除去は任意の好適な手段、例えば、切断または切り取りまたは破壊または引き裂きにより手作業でまたは蹴りにより行ってもよい。
【００２７】
しかし、植物またはその「頭部切断した」茎を土壌表面上近くで除去することが好ましい。好ましくは、植物／茎は、植物またはその「頭部切断した」茎に存在する節の全ての節または少なくとも80％の節を含むようにして除去する。除去は任意の好適な手段、例えば、ナイフ、山刀、鋸またはいずれかの好適な機械による切断または切り取りまたはのこぎりにより、または機械的に、例えば、手作業、または蹴りによる破壊または引き裂きにより行うことができる。好ましい実施形態においては、植物／茎を機械的に、例えば、手作業、または蹴りによる破壊または引き裂くことにより除去する。このやり方は単一植物に存在しうる疾患が、切断／切り取り／のこぎりなどに用いるツール、例えば、ナイフ、山刀、斧、鋸などを経由して他の健康な植物に汚染拡大しないという利点を有する。
【００２８】
茎の切断表面を、任意に、少なくとも1種の殺菌剤および／または少なくとも1種の殺虫剤および／または少なくとも1種の傷保護剤および／または少なくとも1種の成長調節剤を用いて処理する。この処理は、この「開いた傷」を疾患および害虫から保護し、また生理学的効果を支援するためにも行われる。好適で好ましい殺菌剤、殺虫剤、傷保護剤および成長調節剤を以下に掲げる。殺菌剤の中でも、とりわけ好ましいのは、生理学的、とりわけ植物健康および／または成長促進効果を有する殺菌剤、例えば、ストロビルリンおよびとりわけピラクロストロビンを用いる処理である。好ましいのは、少なくとも1種の殺菌剤、特にストロビルリン殺菌剤、とりわけピラクロストロビン、および／または少なくとも1種の成長調節剤による処理である。
【００２９】
本発明の用語において、用語「切断表面」は植物部分を特に切断することにより得た表面に限られるものでなく、前記植物部分を除去するためのいずれかの手段により得たいずれかの開いた表面を意味する。
【００３０】
ステップ(i)における茎の茎片への切断は、任意の好適な手段、例えば、ナイフ、山刀、斧、鋸もしくはいずれかの好適な機械を用いる切断、切り取りまたはのこぎりにより行ってもよい。これは、手作業でまたは自動化して行ってもよい。当然のことながら、切断は、完全な節をもつ茎片を得る、すなわち、切断表面が節により形成される周囲と平行もしくは若干斜めであって、この周囲に垂直ではないようにして行う。
【００３１】
茎片は好ましくは、茎片が少なくとも1つの節、例えば1、2、3、4、5または6節、好ましくは1、2、3、4または5節、より好ましくは1、2、3または4節；さらにより好ましくは1、2または3節、特に1または2節、およびとりわけ1節を含有するように切断される。勿論、少なくとも1つの節を含有する茎片のサイズを最小化するために、いずれの節も含有しない節を切断（そして廃棄）してもよい。例えば、もし茎片が1節であって、その節以外を含有しない狭いディスクを含有すれば、その領域に密接した周辺を切断して次のステップに用い、そして節の間の前に得た茎片を捨ててもよい。茎片が2節を含有する場合、それらを2節に密接して切断し、節のない中間の茎片を廃棄してもよい。
【００３２】
もし切断を自動化して行う場合、使用する機械は好ましくは節を検出するセンサー、例えば、IRセンサーを含むものである。
【００３３】
任意のステップ(ii)において、ステップ(i)で得た茎片の切断表面を、少なくとも1種の殺菌剤および／または少なくとも1種の殺虫剤および／または少なくとも1種の傷保護材料および／または少なくとも1種の成長調節剤で処理する。この処理は「開いた傷」を疾患、害虫から保護するために行うが、また、生理学的効果を支援するものであってもよい。好適かつ好ましい殺菌剤、殺虫剤、傷保護材料および成長調節剤を以下に掲げる。殺菌剤の中でも、とりわけ好ましいのは、生理学的、とりわけ植物健康および／または成長促進効果も有する殺菌剤、例えば、ストロビルリンおよびとりわけピラクロストロビンを用いる処理である。好ましいのは、少なくとも1種の殺菌剤、特にストロビルリン殺菌剤、とりわけピラクロストロビン、および／または少なくとも1種の成長調節剤による処理である。
【００３４】
ステップ(iii)において、ステップ(i)または(ii)で得た、少なくとも1つの節を含有するこれらの茎片を湿潤な培地に植える。
【００３５】
節がまだ新しいシュートを生じうることを確実にするために、茎の茎片への切断と茎片の湿潤培地への植え付けとの間の時間間隔が長過ぎてはならない。しかし最大時間間隔は切断片の貯蔵条件により影響を受けうる。例えば、湿潤条件下の貯蔵は最大時間間隔を延長することができる。しかし茎を茎片に切断後、短時間に、例えば、せいぜい7日、好ましくはせいぜい5日、より好ましくはせいぜい3日そして特にせいぜい2日に、湿潤培地中に切断片を植えることが好ましい。
【００３６】
湿潤培地に植える茎片は好ましくは、少なくとも1節、例えば1、2、3、4、5または6節、好ましくは1、2、3、4または5節、より好ましくは1、2、3または4節；さらにより好ましくは1、2または3節、特に1または2節、そしてとりわけ1節を含有する。
【００３７】
ステップ(iii)に用いる湿潤培地は、茎片を湿潤に保持できる任意の培地または手段でありうる。これは貯蔵およびまた湿気の送達に好適ないずれかの培地により実現することができるが、また栄養溶液によっても、または絶えずもしくは周期的に湿らせ、浸漬し、泡立たせ、漱ぎまたは加湿する灌漑系によっても実現することができる。
【００３８】
湿分を貯蔵および送達できる好適な培地は、例えば、土壌、砂、粘土、砕いた溶岩、軽石、ゲオフムス（Geohumus（登録商標））、カリウムおよびアンモニウムにより部分的に中和したアクリル酸／アクリレート共重合体、例えば、GEFA Produkte Fabritz GmbH、GermanyからのStockosorb（登録商標）、バーミキュライト、ココナッツ繊維、湿潤セルロース系材料、水耕システム、気耕システムなどである、
好適な栄養溶液を以下に掲げる。これらは栄養フィルム技術システムおよび灌水システムとして用いることができる。
【００３９】
湿潤培地は好ましくは、粘土、砂、バーミキュライトおよびココナッツ繊維から、より好ましくはバーミキュライトおよびココナッツ繊維から選択され、そしてとりわけココナッツ繊維である。
【００４０】
勿論、湿分を貯蔵および送達できる培地は、定期的に、例えば、水もしくは栄養溶液で灌漑、噴霧、潜水などにより湿分を保つかまたは湿潤しなければならない。
【００４１】
湿潤培地を、少なくとも1種の殺菌剤および／または少なくとも1種の殺虫剤および／または少なくとも1種の傷保護材料および／または少なくとも1種の成長調節剤で処理してもよい。この処理は植物片を疾患、害虫から保護するために行うが、また、生理学的効果を支援するためであってもよい。好適かつ好ましい殺菌剤、殺虫剤、傷保護材料および成長調節剤を以下に掲げる。殺菌剤の中でも、とりわけ好ましいのは、生理学的、とりわけ植物健康および／または成長促進効果も有する殺菌剤、例えば、ストロビルリンおよびとりわけピラクロストロビンを用いる処理である。好ましいのは、少なくとも1種の殺菌剤、特にストロビルリン殺菌剤、とりわけピラクロストロビン、および／または少なくとも1種の成長調節剤による処理である。
【００４２】
好ましくは、芽が重力軸に対して側方に、すなわち地球をまたは反地球を指さないように、茎片を湿潤培地中に配置する。事実上、全ての節は、通常、シュートを発生しうる1つの（元来、休眠中の）芽を有する（さらなるステップを参照されたい）。この芽は通常目立たないが、それでも目に見える。芽の側方配置はシュートの優れた発生を確実にしそして／または次のステップの取扱いをより容易にする。
【００４３】
シュートの発生後、ステップ(iv)を行う。好ましくは、ステップ(iv)は、出芽したシュートが好ましくは10〜60cm、より好ましくは25〜30cm長さでありかつ少なくとも1つの節を含有するときに開始する。
【００４４】
ステップ(iv)において、茎片の節から（より正確には節上の芽から）現れたシュートの少なくともいくつかの頂部を成長点組織上方で切断し、切断茎片は成長点を含有しないようにする。従ってこれらは根を発生し得ないので生存できず、通常廃棄される。成長点組織は当業者に公知であり、節に近いところに位置しうる。しかし、切断片は少なくともシュートの頂上の節を含有する。
【００４５】
ここでも、「切断」は頂部を除去するための好適な手順、例えば、ナイフ、山刀、斧、鋸もしくはいずれかの好適な機械を用いる切断、切り取りまたはのこぎり、または手作業で頂部を破壊または引き裂くことを意味する。
【００４６】
除去は好ましくは手作業で、例えば、破壊、引き裂き、切断または切り取りにより行われる。
【００４７】
任意のステップ(v)において、ステップ(iv)で得たシュートの頂部を除去した切断表面を、少なくとも1種の殺菌剤および／または少なくとも1種の殺虫剤および／または少なくとも1種の成長調節剤を用いて処理する。この処理は、この「開いた傷」を疾患および害虫から保護するが、また生理学的効果を支援するためにも行われる。好適で好ましい殺菌剤、殺虫剤、傷保護剤および成長調節剤を以下に掲げる。殺菌剤の中でも、とりわけ好ましいのは、生理学的、とりわけ植物健康および／または成長促進効果を有する殺菌剤、例えば、ストロビルリンおよびとりわけピラクロストロビンを用いる処理である。好ましいのは、少なくとも1種の殺菌剤、特にストロビルリン殺菌剤、とりわけピラクロストロビン、および／または少なくとも1種の成長調節剤による処理である。
【００４８】
既に述べたように、ステップ(iv)におけるシュートの頂部の除去は、新しいシュートの産生を誘導し、この場合、その数はサトウキビ植物の頂部の除去直後に得られる数と比較して増加する。
【００４９】
これらの新しく出芽したシュートを（ステップ(ix）を介して；以下参照）定植に用いることができるし、またはこれらを任意のステップ(vi)および(vii)（ステップ(iv）および(v)の反復である）で処理してもよい。ステップ(vi)および(vii)については、ステップ(iv）および(v)に対するのと同じ所見が適用される。
【００５０】
任意のステップ(viii)においては、ステップ(vi)および任意に(vii)を1回または数回反復することができる。ステップ(vi)および(vii)は原則として無期限に反復しうるが、反復数は、新しく出芽したシュートの毎回の反復に伴う品質低下により制限され、概して5回を超えることはない。
【００５１】
好ましくは、ステップ(vi)および任意に(vii)を多くても1回しか行わない（または言い換えると：反復ステップ(viii)を行うことは好ましくない）。具体的には、ステップ(vii)および(viii)を行わないということは、ステップ(iv)または(v)の後に得た新しいシュートを直接ステップ(ix)にかけることを意味する。
【００５２】
ステップ(ix)において、ステップ(iv)、(v)、(vi)、(vii)または(viii)で得た切断シュートから出現した新しく形成されたシュートが10〜60cm長さになると、それらは切断される。これらは、少なくとも成長点の部分を含むように切断される。成長点組織の存在は切断シュートが根を産生しかつ成長することを可能にする。この目的のために、シュートはそれが由来する節の近くで除去される。
【００５３】
新しいシュートは10〜40cm長さ、より好ましくは20〜40cm長さ、そして特に25〜30cm長さになると切断されるのが好ましい。
【００５４】
ここでも、「切断」は側方シュートを除去または脱離するための好適な手順、例えば、ナイフ、山刀、斧、鋸もしくはいずれかの好適な機械を用いる切断、切り取りまたはのこぎり、または手作業でシュートを破壊または引き裂くことを意味する。
【００５５】
除去は好ましくは手作業で、例えば、破壊、引き裂き、切断または切り取りにより行われる。
【００５６】
任意のステップ(x)において、ステップ(ix)で得たシュートを、少なくとも1種の殺菌剤および／または少なくとも1種の殺虫剤および／または少なくとも1種の殺線虫剤および／または少なくとも1種の成長調節剤を用いて処理する。この処理は切断したシュートの「開いた傷」を疾患および害虫から保護するためであるが、とりわけ生理学的効果を支援するために行われる。好適で好ましい殺菌剤、殺虫剤、および成長調節剤を以下に掲げる。殺菌剤の中でも、好ましいのは、生理学的、とりわけ植物健康および／または成長促進効果を有する殺菌剤、例えば、ストロビルリンおよびとりわけピラクロストロビンを用いる処理である。殺虫剤のなかでも、好ましいのは、少なくとも1種のGABAアンタゴニストを用いる処理である。好ましいのは、少なくとも1種の殺菌剤、特にトロビルリン殺菌剤、とりわけピラクロストロビン、および／または少なくとも殺虫剤、特にGABAアンタゴニスト、とりわけフィプロニル、および／または少なくとも1種の成長調節剤を用いる処理である。より好ましいのは、少なくとも1種の殺菌剤、特にストロビルリン殺菌剤、とりわけピラクロストロビンを用いる処理である。
【００５７】
具体的な実施形態においては、ステップ(x)が行われる。
【００５８】
ステップ(ix)または(x)で得たこれらのシュートを次いで成長培地に植える［ステップ(xi)］。
【００５９】
成長培地は自然または合成基質またはそれらの混合物であってもよい。例えば、土壌、粘土、砂、シルト、木材小片、セルロース、腐敗有機残留物、バーミキュライト、ココナッツ 繊維などおよびそれらの混合物である。これらの中で、土壌、バーミキュライトまたはココナッツ繊維、特にココナッツ繊維が好ましい。成長培地はまた、栄養溶液、例えば、成長因子、肥料、バッファー、イオン交換剤、無機塩、例えばカルシウム塩（例えば硝酸カルシウム、硫酸カルシウム、リン酸水素カルシウム）、マグネシウム塩（例えば硝酸マグネシウム、硫酸マグネシウム）、カリウム塩（例えば二水素リン酸カリウム、硝酸カリウム）、鉄塩（例えば硫酸第一鉄、塩化第二鉄）およびミクロ栄養（例えばリチウム塩、例えば塩化リチウム、銅塩、例えば硫酸銅、亜鉛塩、例えば硫酸亜鉛、アルミニウム塩、例えば硫酸アルミニウム、ニッケル塩、例えば硫酸ニッケル、スズ塩、例えば塩化スズ、コバルト塩、例えば硝酸コバルト、ホウ酸）、ならびにKnop栄養溶液およびHoagland A-Z溶液のようなそれらの混合物を含有する水溶液などであってもよい。栄養溶液は、例えば無機基質、例えば膨張粘土により安定化された形態であってもよい。さらに、成長培地は圃場の土壌であってもよい。
【００６０】
任意のステップ(xii)において、成長培地を、シュートを植える前、中、および／または後に、少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または成長促進菌を用いて処理してもよい。好適かつ好ましい肥料、殺菌剤、殺虫剤、殺線虫剤、成長調節剤、超吸収剤および成長促進菌を以下に記載する。殺菌剤の中でも、とりわけ好ましいのは、生理学的、とりわけ植物健康および／または成長促進効果を有する殺菌剤、例えば、ストロビルリンおよびとりわけピラクロストロビンを用いる処理である。好ましいのは、少なくとも1種の殺菌剤、特にストロビルリン殺菌剤、とりわけピラクロストロビン、および／または少なくとも1種の成長調節剤による処理である。
【００６１】
あるいはまたはさらに、シュートを、シュートを定植する前、および／または中に、少なくとも1種の殺菌剤および／または少なくとも1種の殺虫剤および／または少なくとも1種の殺線虫剤および／または少なくとも1種の成長調節剤を用いて処理してもよい。好適かつ好ましい殺菌剤、殺虫剤、殺線虫剤および成長調節剤を、先におよび以下に記載する。殺菌剤の中でも、とりわけ好ましいのは、生理学的、とりわけ植物健康および／または成長促進効果、例えば発根能付与効果を有する殺菌剤、例えば、ストロビルリンおよびとりわけピラクロストロビンを用いる処理である。好ましいのは、少なくとも1種の殺菌剤、特にストロビルリン殺菌剤、とりわけピラクロストロビン、および／または少なくとも1種の成長調節剤による処理である。もしシュートを定植する前に処理すれば、このステップはステップ(x)と一致する。この場合、上記注釈が適用される、すなわち、殺菌剤の中でも、とりわけ好ましいのは、生理学的、とりわけ植物健康および／または成長促進効果も有する殺菌剤、例えば、ストロビルリンおよびとりわけピラクロストロビンを用いる処理であり；殺虫剤のなかでも、好ましいのは、少なくとも1種のGABAアンタゴニストを用いる処理である。好ましいのは、少なくとも1種の殺菌剤、特にトロビルリン殺菌剤、とりわけピラクロストロビン、および／または少なくとも殺虫剤、特にGABAアンタゴニスト、とりわけフィプロニル、および／または少なくとも1種の成長調節剤を用いる処理である。より好ましいのは、少なくとも1種の殺菌剤、特にストロビルリン殺菌剤、とりわけピラクロストロビンを用いる処理である。
【００６２】
ある好ましい実施形態においては、ステップ(xii)を行う。好ましくは、シュートおよび／または成長培地を、少なくとも1種のストロビルリン殺菌剤および任意にまたそれとは異なる少なくとも1種の殺菌剤および／または少なくとも1種の肥料および／または少なくとも1種の殺虫剤および／または少なくとも1種の殺線虫剤および／または少なくとも1種の成長調節剤および／または少なくとも1種の超吸収剤および／または成長促進菌を用いて処理する。好適かつ好ましいストロビルリン殺菌剤を以下に掲げる。特に好ましいのはピラクロストロビンである。
【００６３】
ある好ましい実施形態においては、ステップ(xi)において、シュートを成長培地を含有するコンテナーに植える。好適な成長培地を上に掲げる。コンテナーで用いる好ましい成長培地は、土壌、粘土、砂、シルト、木材小片、セルロース、腐敗有機残留物、バーミキュライト、ココナッツ繊維などおよびそれらの混合物から選択され、より好ましくは土壌、バーミキュライトまたはココナッツ 繊維、特にココナッツ繊維である。
【００６４】
コンテナーは通常の材料または生物分解性材料で作ることができる。生物分解性コンテナーは、苗をコンテナーと一緒に圃場に定植することができる、すなわち、苗を植える前にコンテナーから取り出す必要がないという利点を有する。これは順に、植え付けを自動化もしくは半自動化定植機械を用いて行うことができるといる利点を有する。
【００６５】
具体的な実施形態においては、生物分解性コンテナーをステップ(xi)において用いる。生物分解性コンテナーは生物分解性材料、順に、好ましくは、生物分解性ポリエステル、デンプン、セルロース、セルロース系材料、ポリ乳酸、ゴム、紙、ボール紙、セルロース起源のパルプ、藁、絞り滓、おがくず、天然繊維またはそれらの混合物に基づくものである。
【００６６】
代わりの具体的な実施形態において、コンテナーは通常のもの（すなわち、特に生物分解性でないもの）である。
【００６７】
シュートを成長培地に植えた後にそして任意にシュートおよび／または成長培地の、少なくとも1種の肥料、少なくとも1種の殺菌剤、少なくとも1種の殺虫剤、少なくとも1種の殺線虫剤、少なくとも1種の成長調節剤、少なくとも1種の超吸収剤および／または成長促進菌を用いる処理の後に、苗をシュートから少なくとも15℃の温度で成長させる。好ましくは、苗をシュートから15〜35℃、より好ましくは18〜35℃、さらにより好ましくは20〜35℃、特に22〜35℃そしてとりわけ25〜35℃、例えば25〜32℃または25〜30℃または25〜28℃または25〜27℃の温度で成長させる。
【００６８】
好ましくは、苗をシュートから40〜100％、より好ましくは50〜95％、さらにより好ましくは70〜90％および特に70〜80％の湿度で成長させる。
【００６９】
所要の温度は、自然で、例えば、もし苗をシュートから温暖気候で成長させるのであれば、例えば熱帯気候で、または、人工的手段の助けにより実現する。人工的手段は例えば温室または被覆材料である。成長培地は例えば温室内にあっても、または定植後にそこへ移してもよく、またはシュートを含有する成長培地は断熱してもよく、例えば好適な材料、例えばホイルを用いて覆ってもよい。
【００７０】
好ましい一実施形態においては、シュートを成長培地を含有するコンテナー中に植え、その場合、コンテナーは温室内にあるかまたは植えた後に温室に置かれる。
【００７１】
温室において、温度は好ましくは、15〜35℃、より好ましくは18〜35℃、さらにより好ましくは20〜35℃、特に22〜35℃およびとりわけ25〜35℃、例えば25〜32℃または25〜30℃または25〜28℃または25〜27℃の範囲にある。湿度は好ましくは40〜100％、より好ましくは50〜95％、さらにより好ましくは70〜90％、そして特に70〜80％の範囲にある。
【００７２】
代わりの好ましい実施形態においては、シュートを成長培地を含有するコンテナー中にまたは圃場中に（この場合、成長培地は圃場の土壌である）植え、そしてコンテナーまたは圃場を1以上の被覆材料を用いて覆う。
【００７３】
被覆材料は、例えば、農業における断熱／保護用に通常用いられる織物マットおよび被覆ホイル、例えば農業プラスチックホイル、好ましくは、例えば、ホイル・トンネルまたはフリース・マットの形状の黒色ホイルである。
【００７４】
任意のステップ(xiv)において、苗を少なくとも15℃の温度で成長させ、および／またはその成長培地を1回または数回、例えば1、2または3回、好ましくは1回または2回、例えば、少なくとも1種の殺菌剤および／または少なくとも1種の殺虫剤および／または少なくとも1種の殺線虫剤および／または少なくとも1種の成長調節剤および／または少なくとも1種の発根能付与剤および／または成長促進菌を用いて処理する。好適かつ好ましい殺菌剤、殺虫剤、殺線虫剤、成長調節剤、発根能付与剤および成長促進菌を以下に記載する。本明細書の文脈において、苗の処理は、苗（成長培地から出芽するとき）または成長培地、または両方を処理することを意味する。少なくとも1種の殺菌剤、少なくとも1種の殺虫剤および／または少なくとも1種の殺線虫剤を用いる処理を行うかどうかは、とりわけ、害虫圧（の型と強度）に応じて決定される。
【００７５】
ある好ましい実施形態においては、ステップ(xiv)を行う。好ましくは苗および／またはそれらの成長培地を、少なくとも1種のストロビルリン殺菌剤および／または少なくとも1種のGABAアンタゴニスト殺虫剤および任意にまた、少なくとも1種のそれらと異なる殺菌剤（すなわちストロビルリン殺菌剤と異なる）および／または少なくとも1種の肥料および／または少なくとも1種のそれらとは異なる殺虫剤（すなわちGABAアンタゴニスト殺虫剤とは異なる）および／または少なくとも1種の殺線虫剤および／または少なくとも1種の成長調節剤および／または少なくとも1種の超吸収剤および／または成長促進菌を用いて処理する。好適かつ好ましいストロビルリン殺菌剤を以下に掲げる。特に好ましいのはピラクロストロビンである。好ましいGABAアンタゴニストはアセトプロール、エンドスルファン、バニリプロール、ピラフルプロール、ピリプロール、式II
【化１】
2014511705.tif 000002
【００７６】
［式中、RaはC1-C4-アルキルまたはC1-C4-ハロアルキルである］のフェニルピラゾール化合物またはその農学的に許容される塩；および
式III
【化２】
2014511705.tif 000003
【００７７】
のフェニルピラゾール化合物またはその農学的に許容される塩から選択される。
【００７８】
Raは好ましくはエチルまたはトリフルオロメチルである。
【００７９】
特にフィプロニルが好ましい。
【００８０】
より好ましくは、苗および／またはそれらの成長培地を、少なくとも1種のストロビルリン殺菌剤および任意にまた、少なくとも1種のそれらと異なる殺菌剤および／または少なくとも1種の肥料および／または少なくとも1種の殺虫剤および／または少なくとも1種の殺線虫剤および／または少なくとも1種の成長調節剤および／または少なくとも1種の超吸収剤および／または成長促進菌を用いて処理し、ここで少なくとも1種の殺虫剤は好ましくはGABAアンタゴニスト、そしてとりわけフィプロニルである。好適かつ好ましい殺菌剤を以下に掲げる。特に好ましいのはピラクロストロビンである。
【００８１】
シュートを成長培地に植えた後10〜120日に、好ましくは25〜100日に、シュートから成長した苗を圃場に定植する（勿論、成長培地がまだ圃場でない場合のみ）。この時点に、苗は概して20〜80cmの長さを有する。圃場への定植はより好ましくは、シュートを成長培地に植えた後、25〜80日、さらにより好ましくは40〜70日、特に50〜70日およびとりわけ60±5日に行う。
【００８２】
圃場は、任意に、少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または成長促進菌を用いて、定植前に処理しておく。これらの処理はまた、定植中に、例えば、畔間施用の形態で行ってもよい。好適で好ましい肥料、殺菌剤、殺虫剤、殺線虫剤、成長調節剤、超吸収剤および成長促進菌を以下に掲げる。
【００８３】
圃場が成長培地であれば、シュートを植えた後、10〜120日、好ましくは25〜100日、より好ましくは25〜80日、さらにより好ましくは40〜70日、特に50〜70日および特に60±5日に、シュートから成長した苗を周囲条件に曝す、すなわち、もう熱的な保護をしない。例えば、熱的な保護が被覆材料、例えば、被覆ホイルまたは羊毛マットを用いて行っていれば、これを取り除く。
【００８４】
圃場に定植中または後、または周囲条件に曝した後、苗または圃場を、少なくとも1種の肥料および／または少なくとも1種の殺菌剤および／または少なくとも1種の殺虫剤および／または少なくとも1種の殺線虫剤および／または少なくとも1種の成長調節剤および／または少なくとも1種の超吸収剤および／または成長促進菌および／または少なくとも1種の鮮度保持ポリマーを用いて処理してもよい。好適な好ましい肥料、殺菌剤、殺虫剤、殺線虫剤、成長調節剤、超吸収剤、成長促進菌および鮮度保持ポリマーを以下に記載する。
【００８５】
圃場への定植は手作業で、半自動化でまたは自動化で行うことができる。定植は、例えば、もしシュートの定植およびその苗の成長のために、生物分解性コンテナーを用いれば、全て自動化することができる。この場合、苗は定植前にコンテナーから取り出す必要がなく、定植の全過程で定植機械の使用が可能になる。通常のコンテナーを用いる場合、苗は定植前にコンテナーから取り出さねばならず、これは通常、手作業で行われる。次いで、定植は自動化で行われる。
【００８６】
上記処理において、少なくとも1種の殺菌剤は以下から選択される：
A)  アゾール類：アザコナゾール、ビテルタノール、ブロムコナゾール、シプロコナゾール、ジフェノコナゾール、ジニコナゾール、ジニコナゾール-M、エポキシコナゾール、エタコナゾール、フェンブコナゾール、フルキンコナゾール、フルシラゾール、フルトリアホール、ヘキサコナゾール、イミベンコナゾール、イプコナゾール、メトコナゾール、ミクロブタニル、オキスポコナゾール、パクロブトラゾール、ペンコナゾール、プロピコナゾール、プロチオコナゾール、シメコナゾール、テブコナゾール、テトラコナゾール、トリアジメホン、トリアジメノール、トリチコナゾール、ウニコナゾール、1-(4-クロロ-フェニル)-2-([1,2,4]トリアゾール-1-イル)-シクロヘプタノール、シアゾファミド、イマザリル、ペフラゾエート、プロクロラズ、トリフルミゾール、ベノミル、カルベンダジム、フベリダゾール、チアベンダゾール、エタボキサム、エトリジアゾール、ヒメキサゾールおよび2-(4-クロロ-フェニル)-N-[4-(3,4-ジメトキシ-フェニル)-イソオキサゾール-5-イル]-2-プロパ-2-イニルオキシ-アセトアミドから成る群より選択される；
B)  ストロビルリン類：アゾキシストロビン、ジモキシストロビン、エネストロブリン、フルオキサストロビン、クレソキシム-メチル、メトミノストロビン、オリサストロビン、ピコキシストロビン、ピラクロストロビン、ピラオキシストロビン、ピラメトストロビン、ピリベンカルブ、トリフロキシストロビン、2-(2-(6-(3-クロロ-2-メチル-フェノキシ)-5-フルオロ-ピリミジン-4-イルオキシ)-フェニル)-2-メトキシイミノ-N-メチル-アセトアミド、3-メトキシ-2-(2-(N-(4-メトキシ-フェニル)-シクロプロパン-カルボキシミドイルスルファニルメチル)-フェニル)-アクリル酸メチルエステル、メチル(2-クロロ-5-[1-(3-メチルベンジルオキシイミノ)エチル]ベンジル)カーバメートおよび2-(2-(3-(2,6-ジクロロフェニル)-1-メチル-アリリデンアミノオキシメチル)-フェニル)-2-メトキシイミノ-N-メチル-アセトアミドから成る群より選択される;
C)  カルボキサミド類：ベナラキシル、ベナラキシル-M、ベノダニル、ビキサフェン、ボスカリド、カルボキシン、フェンフラム、フェンヘキサミド、フルトラニル、フラメトピル、イソピラザム、イソチアニル、キララキシル、メプロニル、メタラキシル、メタラキシル-M(メフェノキサム)、オフレース、オキサジキシル、オキシカルボキシン、ペンチオピラド、セダキサン、テクロフタラム、チフルザミド、チアジニル、2-アミノ-4-メチル-チアゾール-5-カルボキシアニリド、2-クロロ-N-(1,1,3-トリメチル-インダン-4-イル)-ニコチンアミド、N-(3',4',5'-トリフルオロビフェニル-2-イル)-3-ジフルオロメチル-1-メチル-1H-ピラゾール-4-カルボキサミド(フルキサピロキセード)、N-(4'-トリフルオロメチルチオビフェニル-2-イル)-3-ジフルオロメチル-1-メチル-1H-ピラゾール-4-カルボキサミド、N-(2-(1,3-ジメチル-ブチル)-フェニル)-1,3-ジメチル-5-フルオロ-1H-ピラゾール-4-カルボキサミドおよびN-(2-(1,3,3-トリメチル-ブチル)-フェニル)-1,3-ジメチル-5-フルオロ-1H-ピラゾール-4-カルボキサミド、ジメトモルフ、フルモルフ、ピリモルフ、フルメトベル、フルオピコリド、フルオピラム、ゾキサミド、N-(3-エチル-3,5,5-トリメチル-シクロヘキシル)-3-ホルミルアミノ-2-ヒドロキシ-ベンズアミド、カルプロパミド、ジシクロメト、マンジプロアミド、オキシテトラサイクリン、シルチオファムおよびN-(6-メトキシ-ピリジン-3-イル)シクロプロパンカルボン酸アミドから成る群より選択される；
D）  ヘテロ環式化合物：フルアジナム、ピリフェノックス、3-[5-(4-クロロ-フェニル)-2,3-ジメチル-イソオキサゾリジン-3-イル]-ピリジン、3-[5-(4-メチル-フェニル)-2,3-ジメチル-イソオキサゾリジン-3-イル]-ピリジン、2,3,5,6-テトラ-クロロ-4-メタンスルホニル-ピリジン、3,4,5-トリクロロピリジン-2,6-ジ-カルボニトリル、N-(1-(5-ブロモ-3-クロロ-ピリジン-2-イル)-エチル)-2,4-ジクロロニコチンアミド、N-[(5-ブロモ-3-クロロ-ピリジン-2-イル)-メチル]-2,4-ジクロロ-ニコチンアミド、ブピリメート、シプロジニル、ジフルメトリム、フェナリモル、フェリムゾン、メパニピリム、ニトラピリン、ヌアリモール、ピリメタニル、トリホリン、フェンピクロニル、フルジオキソニル、アルジモルフ、ドデモルフ、ドデモルフ酢酸、フェンプロピモルフ、トリデモルフ、フェンプロピジン、フルオロイミド、イプロジオン、クロゾリネート、プロシミドン、ビンクロゾリン、ファモキサドン、フェナミドン、フルチアニル、オクチリノン、プロベナゾール、5-アミノ-2-イソプロピル-3-オキソ-4-オルト-トリル-2,3-ジヒドロ-ピラゾール-1-カルボチオ酸S-アリルエステル、アシベンゾラル-S-メチル、アミスルブロム、アニラジン、ブラストサイジン-S、カプタホル、カプタン、チノメチオナート、ダゾメット、デバカルブ、ジクロメジン、ジフェンゾコート、ジフェンゾコート-硫酸メチル、フェノキサニル、ホルペット、オキソリン酸、ピペラリン、プロキナジド、ピロキロン、キノキシフェン、トリアゾキシド、トリシクラゾール、2-ブトキシ-6-ヨード-3-プロピルクロメン-4-オン、5-クロロ-1-(4,6-ジメトキシ-ピリミジン-2-イル)-2-メチル-1H-ベンズイミダゾール、5-クロロ-7-(4-メチルピペリジン-1-イル)-6-(2,4,6-トリフルオロフェニル)-[1,2,4]トリアゾロ[1,5-a]ピリミジンおよび5-エチル-6-オクチル-[1,2,4]トリアゾロ[1,5-a]ピリミジン-7-イルアミンから成る群より選択される；
E）  カーバメート類：フェルバム、マンコゼブ、マンネブ、メタム、メタスルホカルブ、メチラム、プロピネブ、チラム、ジネブ、ジラム、ベンチアバリカルブ、ピリブチカルブ、ジエトフェンカルブ、イプロバリカルブ、ヨドカルブ、プロパモカルブ、プロパモカルブ塩酸塩、プロチオカルブ、バリフェナルおよびN-(1-(1-(4-シアノ-フェニル)エタンスルホニル)-ブタ-2-イル)カルバミン酸-(4-フルオロフェニル)エステルから成る群より選択される；
F）他の活性化合物：
-  グアニジン類：グアニジン、ドジン、ドジン遊離塩基、グアザチン、グアザチン-酢酸塩、イミノクタジン、イミノクタジン-トリアセテート、イミノクタジン-トリス(アルベシレート)；
-  抗生物質：カスガマイシン、カスガマイシン塩酸塩-水和物、ストレプトマイシン、ポリオキシン、バリダマイシンA；
-  ニトロフェニル誘導体：ビナパクリル、ジノブトン、ジノカップ、メプチルジノカップ、ニトロタール-イソプロピル、テクナゼン；
-  有機金属化合物：フェンチン塩、例えば、フェンチン-酢酸塩、フェンチンクロリドまたはフェンチン水酸化物；
-  硫黄含有ヘテロシクリル化合物：ジチアノン、イソプロチオラン；
-  有機リン化合物：エジフェンホス、ホセチル、ホセチルアルミニウム、イプロベンホス、亜リン酸およびその塩、ピラゾホス、トルクロホス-メチル；
-  有機塩素化合物：クロロタロニル、ジクロフルアニド、ジクロロフェン、フルスルファミド、ヘキサクロロベンゼン、ペンシクロン、ペンタクロロフェノールおよびその塩、フタリド、キントゼン、チオファネート-メチル、トリルフルアニド、N-(4-クロロ-2-ニトロ-フェニル)-N-エチル-4-メチル-ベンゼンスルホンアミド；
-  無機活性物質：ボルドー混合物、酢酸銅、水酸化銅、オキシ塩化銅、塩基性硫酸銅、硫黄；
-  その他：ビフェニル、ブロノポル、シフルフェナミド、クロロネブ、シモキサニル、ジクロラン、テクナゼン、ジフェニルアミン、メトラフェノン、ミルジオマイシン、オキシン-銅、プロヘキサジオン-カルシウム、スピロキサミン、トリルフルアニド、N-(シクロプロピルメトキシイミノ-(6-ジフルオロ-メトキシ-2,3-ジフルオロ-フェニル)-メチル)-2-フェニルアセトアミド、N'-(4-(4-クロロ-3-トリフルオロメチル-フェノキシ)-2,5-ジメチル-フェニル)-N-エチル-N-メチルホルムアミジン、N'-(4-(4-フルオロ-3-トリフルオロメチル-フェノキシ)-2,5-ジメチル-フェニル)-N-エチル-N-メチルホルムアミジン、N'-(2-メチル-5-トリフルオロメチル-4-(3-トリメチルシラニル-プロポキシ)-フェニル)-N-エチル-N-メチルホルムアミジン、N'-(5-ジフルオロメチル-2-メチル-4-(3-トリメチルシラニル-プロポキシ)-フェニル)-N-エチル-N-メチルホルムアミジン、2-{1-[2-(5-メチル-3-トリフルオロメチル-ピラゾール-1-イル)-アセチル]-ピペリジン-4-イル}-チアゾール-4-カルボン酸メチル-(1,2,3,4-テトラヒドロ-ナフタレン-1-イル)-アミド、2-{1-[2-(5-メチル-3-トリフルオロメチル-ピラゾール-1-イル)-アセチル]-ピペリジン-4-イル}-チアゾール-4-カルボン酸メチル-(R)-1,2,3,4-テトラヒドロ-ナフタレン-1-イル-アミド、酢酸6-tert.-ブチル-8-フルオロ-2,3-ジメチル-キノリン-4-イルエステルおよびメトキシ-酢酸6-tert-ブチル-8-フルオロ-2,3-ジメチル-キノリン-4-イルエステルから成る群より選択される；ならびに
G）  生物学的制御剤。
【００８７】
生物学的制御は天敵による害虫集団の低減と定義され、典型的には活動的なヒトの役割を含む。植物疾患の生物学的制御はほとんどBCAのアンタゴニスト作用に基づく。殺真菌バイオコントロールが作用すると思われるいくつかの機構が存在し、それには、抗菌抗生物質の産生、栄養の競合および根圏定着が含まれる。
【００８８】
好適な生物学的制御剤は非病原性細菌、好ましくは、Pseudomonas fluorescens、Pseudomonas putida、Streptomyces griseus、Streptomyces ochraceisleroticus、Streptomyces graminofaciens、Streptomyces corchousii、Streptomyces spiroverticillatus、Streptomyces griseovirdis、Streptomyces hygroscopicus、Bacillus subtilis、Bacillus cereus、Bacillus mycoides、Bacillus pumilus、Bacillus licheniformis、Bacillus thuringensis、および前記細菌から産生される代謝産物；非病原性真菌、好ましくはトリコデルマ（Trichoderma）種、Trichoderma harzianum、Trichoderma viridae、Verticillium lecanii、Sporidesmium sclerotiorumおよびZygomycetes、および前記真菌から産生される代謝産物；および樹脂酸、オオイタドリ（Reynoutria sachalinensis）の植物抽出物；ならびに植物防御誘導剤、好ましくはハーピン（harpin）から選択される。
【００８９】
より好ましくは、少なくとも1種の殺菌剤は、シプロコナゾール、ジフェノコナゾール、エポキシコナゾール、フルキンコナゾール、フルシラゾール、フルトリアホール、メトコナゾール、ミクロブタニル、ペンコナゾール、プロピコナゾール、プロチオコナゾール、トリアジメホン、トリアジメノール、テブコナゾール、テトラコナゾール、トリチコナゾール、プロクロラズ、シアゾファミド、ベノミル、カルベンダジム、エタボキサム、アゾキシストロビン、ジモキシストロビン、フルオキサストロビン、フルキサピロキセード、クレソキシム-メチル、オリサストロビン、ピコキシストロビン、ピラクロストロビン、トリフロキシストロビン、ビキサフェン、ボスカリド、セダキサン、フェンヘキサミド、メタラキシル、イソピラザム、メフェノキサム、オフレース、ジメトモルフ、フルモルフ、フルピコリド(ピコベンザミド)、ゾキサミド、カルプロパミド、マンジプロパミド、フルアジナム、シプロジニル、フェナリモル、メパニピリム、ピリメタニル、トリホリン、フルジオキソニル、ドデモルフ、フェンプロピモルフ、トリデモルフ、フェンプロピジン、イプロジオン、ビンクロゾリン、ファモキサドン、フェナミドン、プロベナゾール、プロキナジド、アシベンゾラル-S-メチル、カプタホル、ホルペット、フェノキサニル、キノキシフェン、5-エチル-6-オクチル-[1,2,4]トリアゾロ[1,5-a]ピリミジン-7-イルアミン、マンコゼブ、メチラム、プロピネブ、チラム、イプロバリカルブ、フルベンチアバリカルブ(ベンチアバリカルブ)、プロパモカルブ、ジチアノン、フェンチン塩、ホセチル、ホセチル-アルミニウム、H3PO3およびそれらの塩、クロルタロニル、ジクロフルアニド、チオファナト-メチル、酢酸銅、水酸化銅、オキシ塩化銅、硫酸銅、硫黄、シモキサニル、メトラフェノン、スピロキサミンおよび枯草菌（Bacillus subtilis）およびその代謝産物から選択される。
【００９０】
特に、少なくとも1種の殺菌剤はストロビルリン殺菌剤であるかまたは枯草菌（Bacillus subtilis）および／またはその代謝産物であるかまたはこれらの殺菌剤の少なくとも2つの組み合わせである。好ましいストロビルリンはアゾキシストロビン、ジモキシストロビン、フルオキサストロビン、フルキサピロキセード、クレソキシム-メチル、オリサストロビン、ピコキシストロビン、ピラクロストロビンおよびトリフロキシストロビンから選択される。特に、ストロビルリン殺菌剤はピラクロストロビンである。
【００９１】
上記処理において、少なくとも1種の殺虫剤は以下から選択される：
a)  ピレスロイド化合物：アクリナトリン、アレトリン、d-cis-trans-アレトリン、d-trans-アレトリン、ビフェントリン、ビオアレトリン、ビオアレトリンS-シクロペンテニル、ビオレスメトリン、シクロプロトリン、シフルトリン、β-シフルトリン、シハロトリン、λ-シハロトリン、γ-シハロトリン、シペルメトリン、α-シペルメトリン、β-シペルメトリン、θ-シペルメトリン、ζ-シペルメトリン、シフェノトリン、デルタメトリン、エンペトリン、エスフェンバレレート、エトフェンプロックス、フェンプロパトリン、フェンバレレート、フルシトリネート、フルメトリン、τ-フルバリネート、ハルフェンプロックス、イミプロトリン、メトフルトリン、ペルメトリン、フェノトリン、パレトリン、プロフルトリン、ピレトリン（pyrethrum）、レスメトリン、シラフルオフェン、テフルトリン、テトラロメトリン、トラロメトリンおよびトランスフルトリンから選択される；
b)  ニコチン受容体アゴニスト／アンタゴニスト化合物：アセトアミプリド、ベンスルタップ、カルタップ塩酸塩、クロチアニジン、ジノテフラン、イミダクロプリド、チアメトキサム、ニテンピラム、ニコチン、スピノサド（アロステリックアゴニスト）、スピネトラム（アロステリックアゴニスト）、チアクロプリド、チオシクラム、チオスルタップ-ナトリウムおよびAKD1022から選択される； 
c)  GABA依存性クロライドチャネルアンタゴニスト化合物：クロルダン、エンドスルファン、γ-HCH（リンダン）；エチプロール、フィプロニル、ピラフルプロールおよびピリプロールから選択される；
d)  クロライドチャネルアクチベーター：アバメクチン、エマメクチン安息香酸塩、ミルベメクチンおよびレピメクチンから選択される；および
(e)  キチン生合成のインヒビター：
(e1)ベンゾイル尿素：ビルトリフロン、クロルフルアズロン、ジフルベンズロン、フルシクロクスロン、フルフェノクスロン、ヘキサフルムロン、ルフェヌロン、ノバルロン、ノビフルムロン、テフルベンズロン、トリフルムロンから選択される。
【００９２】
より好ましくは、少なくとも1種の殺虫剤は、フィプロニル、アセトアミプリド、クロチアニジン、イミダクロプリド、チアメトキサム、アバメクチンおよびテフルベンズロンから選択され、そして特にフィプロニルである。
【００９３】
上記処理において、少なくとも1種の殺線虫剤は好ましくは以下から選択される：
-  抗生物質 殺線虫剤、例えば、アバメクチン；
-  植物殺線虫剤、例えば、カルバクロール；
-  キラヤ属またはサイカチ属の抽出物；
-  サポニン類；
-  カーバメート殺線虫剤：ベノミル、カルボフラン、カルボスルファンおよびクロエトカルブから選択される；
-  オキシムカーバメート殺線虫剤：アラニカルブ、アルジカルブ、アルドキシカブ、オキサミルおよびチルペート（tirpate）から選択される；
-  燻蒸殺線虫剤：ジチオエーテルおよび臭化メチルから選択される；
-  有機リン殺線虫剤：
-  有機リン酸殺線虫剤：ジアミダホス；フェナミホス；ホスチエタンおよびホスファミドンから選択される；
-  有機チオリン酸殺線虫剤：カズサホス、クロルピリホス、ジクロロフェンチオン、ジメトエート、エトプロホス、フェンスルホチオン、ホスチアザート、ヘテロホス、イサミドホス、イサザホス、ホラート、ホスホカルブ、テルブホス、チオナジンおよびトリアゾホスから選択される；
-  ホスホノチオエート殺線虫剤：イミシアホスおよびメカルホンから選択される；および
-  未分類の殺線虫剤：アセトプロール、ベンクロチアズ、クロロピクリン、ダゾメット、DBCP、DCIP、1,2-ジクロロプロパン、1,3-ジクロロプロペン、フルエンスルホン、フルフラール、メタム、メチルヨウ化物、メチルイソチオシアネートおよびキシレノールから選択される。
【００９４】
特に、少なくとも1種の殺線虫剤はアバメクチンである。
【００９５】
上記処理において、成長促進菌は、好ましくは、次の属の細菌から選択される：アゾスピリルム、アゾトバクター、アゾモナス、バシラス、ベイエリンキア、バークホルデリア、クロストリジウム、シアノバクテリア、エンテロバクター、エルウイニア、グルコノバクター、クレブシエラおよびストレプトマイセス。
【００９６】
より好ましくは、成長促進菌はAzospirillum amazonense、Herbaspirillum seropedicae、Herbaspirillum rubrisubalbicans、Burkholderia tropica、Gluconacetobacter diazotrophicus、Pseudomonas fluorescens、Pseudomonas putida、Streptomyces griseus、Streptomyces ochraceisleroticus、Streptomyces graminofaciens、Streptomyces corchousii、Streptomyces spiroverticillatus、Streptomyces griseovirdis、Streptomyces hygroscopicus、Bacillus subtilis、Bacillus cereus、Bacillus mycoides、Bacillus pumilus、Bacillus licheniformisおよびBacillus thuringensisから選択される。
【００９７】
上記処理において、少なくとも1種の成長調節剤は、好ましくは、アシルシクロヘキサンジオン、例えば、プロヘキサジオン、プロヘキサンジオン-Ca、トリネキサパクまたはトリネキサパクエチル；メピクワットクロリドおよびクロルメクワットクロリドから選択される。より好ましくは、少なくとも1種の成長調節剤は、アシルシクロヘキサンジオン、例えば、プロヘキサジオン、プロヘキサジオン-Ca、トリネキサパクまたはトリネキサパクエチル、そして特にプロヘキサジオン-Caおよびトリネキサパクエチルから選択される。
【００９８】
少なくとも1種の発根能付与剤は、上記ストロビルリン殺菌剤、特にフルキサピロキセードおよびピラクロストロビン、上記ニコチン受容体アゴニスト／アンタゴニスト、特にクロチアニジン、イミダクロプリドおよびチアメトキサム、オーキシン、例えば、4-CPA、2,4-D、2,4-DB、2,4-DEP、ジクロルプロップ、フェノプロップ、IAA、IBA、ナフタレンアセトアミド、α-ナフタレン酢酸、1-ナフトール、ナフトキシ酢酸、ナフテン酸カリウム、ナフテン酸ナトリウムおよび2,4,5-T；ジベルリン、ジベリン酸、シトキニン、例えば、2iP、ベンジルアデニン、4-ヒドロキシフェネチルアルコール、キネチンおよびゼアチン；およびフミン酸、キラヤ属またはサイカチ属の抽出物、サポニン、生物学的制御剤および植物防御誘導剤から選択される。
【００９９】
サトウキビ植物の栽培に通常用いられる好適な肥料は、例えば、NPK肥料、硫酸アンモニウム、リン酸アンモニウム、硝酸アンモニウム、尿素、野菜由来の産物、例えば、穀粒、樹皮粒、木材粒、堅果殻粒およびマルチ、およびそれらの混合物である。
【０１００】
少なくとも1種の超吸収剤は、好ましくは、少なくとも100gの脱イオン水/1gのポリマーを吸収する能力を有する超吸収ポリマーである。超吸収ポリマーは固体でかつ親水性のある周知の合成有機ポリマーであって、水に不溶であり、その重量の何倍もの水もしくは水溶液を吸収する能力があり、それによって含水ポリマーゲルを形成する。これらは非イオン性またはイオン性の架橋ポリマーであってもよい。好適な超吸収ポリマーは、例えば、US 4,417,992、US 3,669,103、WO 01/25493およびWO 2008/031870から公知である。これらはまた、例えば、SNF SA（France）から、Aquasorb(登録商標)、例えば3500Sのもとで、またはBASF SEからLuquasorb(登録商標)、例えばLuquasorb(登録商標)1010、Luquasorb(登録商標)1280、Luquasorb(登録商標)1060、Luquasorb(登録商標)1160、Luquasorb(登録商標)1061およびHySorb(登録商標)のもとで市販されている。
【０１０１】
傷保護材料は、好ましくは、無毒の無機および有機フィルム形成またはコーティングポリマー、例えば、超吸収剤、超吸収剤処理済みポリマー（例えばBASFからのLuquafleece(登録商標)）脂肪族-芳香族コポリマー（例えばBASFからのEcoflex(登録商標)）、鮮度保持ポリマー（例えばBASFからのFreshSeal(登録商標)）、ワックス、可溶性ガラスおよび天然の膨潤物質（例えばTingui（Magonia pubescens）種子コート調製物、とりわけTingui種子コートからの粉末またはより厳密には前記粉末から作られたゲル）から選択される。これらのなかでも好ましいのは、FreshSeal（登録商標）およびTinguiの粉末種子から調製したゲルである。
【０１０２】
殺菌剤、殺虫剤、殺線虫剤、成長調節剤および発根能付与剤は一般にすぐ使える調製物として用いられる。以下に、少なくとも1種の殺菌剤、殺虫剤、殺線虫剤、成長調節剤または発根能付与剤（以下で"活性成分"と呼ぶ）を含有する好適なすぐ使える調製物を記載する。
【０１０３】
すぐ使える調製物において、活性成分は懸濁、乳化または溶解された剤形で存在しうる。施用剤形はその意図する用途に応じる。
【０１０４】
活性成分はそのまま製剤の剤形で、または、調製した施用剤形で、例えば、直接噴霧可能な溶液、粉末、懸濁液または分散液（高度に濃縮された水性、油性または他の懸濁液もしくは分散液を含む）、乳剤、油性分散液、ペースト、ダスト、散布用組成物、または顆粒の形態で施用することができる。施用は通常、噴霧、微粒化噴霧、ダスティング、散布または水やりによって行う。施用形態と方法は意図する用途に応じ、どの場合にも、活性化合物の可能な限り微細な散布を確実にしなければならない。
【０１０５】
調製物が存在するすぐ使える活性成分の実施形態に応じ、作物保護剤を製剤するために、これらの調製物は、1種以上の液または固体担体、適宜、界面活性剤、および適宜、さらなる助剤を含む。当業者はかかる製剤に対する処方を精通している。
【０１０６】
水性の施用剤形は、例えば、乳剤濃縮液、懸濁液、ペースト、水和性粉末または水に分散可能な顆粒から、水を加えることにより調製することができる。乳剤、ペーストまたは油性分散液を調製するには、そのままの、または油もしくは溶媒に溶解した活性化合物を水中に、湿潤剤、粘着付与剤、分散剤または乳化剤を用いてホモジナイズすることができる。しかし、活性物質、湿潤剤、粘着付与剤、分散剤または乳化剤および、適宜、溶媒または油から成る濃縮物を調製することもでき、かかる調製物は水で希釈するのに好適である。
【０１０７】
すぐ使える調製物の活性成分の濃度は比較的広範囲に変えることができる。
【０１０８】
一般に、前記濃度は0.0001〜10％、好ましくは 0.01〜1％である（すぐ使える調製物の全重量に基づく活性化合物の全含量、重量％）。
【０１０９】
活性成分はまた、超低体積プロセス（ULV）で首尾よく用いることもでき、95重量％超の活性化合物を含む製剤を使うこと、または、添加剤を含まない活性成分を施用することすら可能である。
【０１１０】
様々なタイプの油、湿潤剤、アジュバント、殺菌剤および／または肥料を、適宜、使用直前になって、活性成分に加えてもよい（タンク混合）。これらの薬剤を、使用する活性成分と1：100〜100：1、好ましくは1：10〜10：1の重量比で混合することができる。
【０１１１】
アジュバントは、例えば、修飾した有機ポリシロキサン、例えばBreak Thru S 240（登録商標）；アルコールアルコキシレート、例えば、Atplus 245（登録商標）、Atplus MBA 1303（登録商標）、Plurafac LF 300（登録商標）およびLutensol ON 30（登録商標）；EO-POブロックコポリマー、例えば プルロニック RPE 2035（登録商標）およびGenapol B（登録商標）；アルコールエトキシレート、例えばLutensol XP 80（登録商標）；およびジオクチルスルホこはく酸ナトリウム、例えばLeophen RA（登録商標）である。
【０１１２】
製剤は、例えば、所望であれば、界面活性剤、すなわち、乳化剤および分散剤を用いて、活性成分を溶媒および／または担体で薄めることにより、公知の方法で調製される。この目的のために好適な溶媒／担体は本質的に次の通りである：
-  水、芳香族溶媒（例えば、Solvesso製品、キシレン）、パラフィン（例えば鉱油画分）、アルコール（例えばメタノール、ブタノール、ペンタノール、ベンジルアルコール）、ケトン（例えばシクロヘキサノン、メチルヒドロキシブチルケトン、ジアセトンアルコール、メシチルオキシド、イソホロン）、ラクトン（例えば、γ-ブチロラクトン）、ピロリドン（ピロリドン、N-メチルピロリドン、N-エチルプロリドン、n-オクチルピロリドン）、酢酸塩（グリコールジアセテート）、グリコール、ジメチル脂肪酸アミド、脂肪酸および脂肪酸エステル。原則として、溶媒混合物を用いてもよい。
【０１１３】
-  担体、例えば、天然鉱物（例えばカオリン、粘土、タルク、チョーク）および合成鉱物（例えば微粉砕シリカ、ケイ酸塩）；乳化剤、例えば、非イオン性および陰イオン性乳化剤（例えばポリオキシエチレン脂肪アルコールエーテル類、アルキルスルホン酸塩およびアリールスルホン酸塩）、および分散剤、例えば、亜硫酸パルプ廃液およびメチルセルロース。
【０１１４】
好適な界面活性剤は、リグノスルホン酸、ナフタレンスルホン酸、フェノールスルホン酸、ジブチルナフタレンスルホン酸、アルキルアリールスルホン酸、アルキル硫酸、アルキルスルホン酸、脂肪アルコール硫酸、脂肪酸および硫酸化脂肪アルコールグリコールエーテル類のアルカリ金属塩、アルカリ土類金属塩およびアンモニウム塩、さらに、スルホン化ナフタレンおよびナフタレン誘導体のホルムアルデヒドとの縮合物、ナフタレンのまたはナフタレンスルホン酸のフェノールおよびホルムアルデヒドとの縮合物、ポリオキシエチレンオクチルフェノールエーテル、エトキシル化イソオクチルフェノール、オクチルフェノール、ノニルフェノール、アルキルフェニルポリグリコールエーテル、トリブチルフェニルポリグリコールエーテル、トリステアリルフェニルポリグリコールエーテル、アルキルアリールポリエーテルアルコール、アルコールおよび脂肪アルコールエチレンオキシド縮合物、エトキシル化ヒマシ油、ポリオキシエチレンアルキルエーテル、エトキシル化ポリオキシプロピレン、ラウリルアルコールポリグリコールエーテルアセタール、ソルビトールエステル、亜硫酸パルプ廃液およびメチルセルロースである。
【０１１５】
直接噴霧可能な溶液、乳剤、ペーストまたは油性分散液の調製に好適なものは、中〜高沸点の鉱油画分、例えば、軽油またはジーゼル油、さらにコールタール油および野菜および動物起源の油、脂肪族、環状および芳香族炭化水素、例えばトルエン、キシレン、パラフィン、テトラヒドロナフタレン、アルキル化ナフタレンまたはそれらの誘導体、メタノール、エタノール、プロパノール、ブタノール、シクロヘキサノン、シクロヘキサノン、メシチルオキシド、イソホロン、極性の強い溶媒、例えばジメチルスルホキシド、2-ピロリドン、N-メチルピロリドン、ブチロラクトン、または水である。
【０１１６】
粉末、散布用組成物およびダストは、活性成分を固体担体と混合または一緒に粉砕することにより調製することができる。
【０１１７】
顆粒、例えばコーティングした顆粒、含侵した顆粒および均質な顆粒は、活性成分を固体担体上に結合させることにより調製することができる。固体担体は、例えば、鉱物、例えば、シリカゲル、ケイ酸塩、タルク、カオリン、アッタクレイ、石灰岩、生石灰、チョーク、赤土、黄土、粘土、苦灰石、珪藻土、硫酸カルシウム、硫酸マグネシウム、酸化マグネシウム、粉砕した材料、肥料、例えば、硫酸アンモニウム、リン酸アンモニウム、硝酸アンモニウム、尿素および植物産物、例えば、穀粒、樹皮粒、木材粒および堅果殻粒、セルロース粉末および他の固体担体である。
【０１１８】
シュート処理用の製剤はさらに、バインダーおよび／またはゲル化剤および任意に着色剤を含む。
【０１１９】
一般に、製剤は0.01〜95重量％、好ましくは0.1〜90重量％、特に5〜50重量％の活性成分を含む。この文脈では、90％〜100％、好ましくは95％〜100％（NMRスペクトルによって）の純度の活性成分が使用される。
【０１２０】
2〜10倍希釈の後、シュート処理用の製剤はすぐ使える調製物中に0.01〜60重量％、好ましくは0.1〜40重量％の活性成分を含みうる。
【０１２１】
製剤の例は次の通りである：
1.  水に希釈する製品
I）  水溶性濃縮物（SL、LS）
10重量部の活性化合物を90重量部の水または水溶性溶媒に溶解する。あるいは、湿潤剤または他のアジュバントを加える。水に希釈すると、活性化合物は溶解する。
【０１２２】
用意した製剤は10重量％の活性成分を含有する。
【０１２３】
II）  分散性濃縮物（DC）
20重量部の活性化合物を70重量部のシクロヘキサノンに溶解し、10重量部の分散剤、例えばポリビニルピロリドンを加える。活性成分は20重量％含有されている。水に希釈すると、分散される。
【０１２４】
III）  乳濁性濃縮物（EC）
15重量部の活性化合物を75重量部のキシレンに溶解し、ドデシルベンゼンスルホン酸カルシウムとヒマシ油エトキシレート（それぞれ5重量部）を加える。活性成分は15重量％含有されている。水に希釈すると、乳剤が得られる。
【０１２５】
IV）  乳剤（EW、EO、ES）
25重量部の活性化合物を35重量部のキシレンに溶解し、ドデシルベンゼンスルホン酸カルシウムとヒマシ油エトキシレート（それぞれ5重量部）を加える。この混合物を30重量部の水中に乳化剤（Ultraturrax）を用いて導入し、均質な乳剤とする。活性成分は25重量％含有されている。水に希釈すると、乳剤が得られる。
【０１２６】
V）  懸濁液（SC、OD、FS）
20重量部の活性化合物をボールミルで細かく砕き、10重量部の分散剤、湿潤剤および70重量部の水または有機溶媒を加えて活性化合物の微細な懸濁液を得る。
【０１２７】
活性成分は20重量％含有されている。
【０１２８】
水に希釈すると活性化合物の安定な懸濁液を生じる。
【０１２９】
VI）  水分散性および水溶性顆粒（WG、SG）
50重量部の活性化合物を細かく粉砕し、50重量部の分散剤と湿潤剤を加えて技術装置（例えば、押出機、噴霧塔、流動床）を用いて水分散性または水溶性顆粒にする。活性成分は50重量％含有されている。水に希釈すると活性化合物の安定な分散液または溶液を生じる。
【０１３０】
VII）  水分散性および水溶性粉末（WP、SP、SS、WS）
75重量部の活性化合物を回転子-固定子ミルで粉砕し、25重量部の分散剤、湿潤剤およびシリカゲルを加えた。活性成分は75重量％含有されている。水に希釈すると活性化合物の安定な分散液もしくは溶液を生じる。
【０１３１】
VIII）  ゲル製剤（GF）
20重量部の活性化合物、10重量部の分散剤、1重量部のゲル化剤および70重量部の水または有機溶媒をボールミルで粉砕し、細かく分割された懸濁液を得る。
【０１３２】
水に希釈すると活性化合物の安定な懸濁液を生じる。
【０１３３】
2.  直接施用する製品
IX）  ダスト（DP、DS）
5重量部の活性化合物を細かく粉砕し、95重量部の微粒子カオリンとしっかり混合する。
【０１３４】
これは5重量％の活性成分を含むダストを与える。
【０１３５】
X）  顆粒（GR、FG、GG、MG）
0.5重量部の活性化合物を細かく粉砕し、95.5重量部の担体と組み合わせる。現行の方法は押出、噴霧乾燥または流動床である。これは、0.5重量％の活性成分を含む直接施用のための顆粒を与える。
【０１３６】
XI）  ULV溶液（UL）
10重量部の活性化合物を、90重量部の有機溶媒、例えばキシレンに溶解する。これは10重量％の活性成分を含む直接施用のための製品を与える。
【０１３７】
シュートを処理するのに好適な製剤は、例えば、次の通りである：
I  可溶性濃縮物（SL、LS）
III  乳濁化性濃縮物（EC）
IV  乳剤（EW、EO、ES）
V  懸濁液（SC、OD、FS）
VI  水分散性および水溶性顆粒（WG、SG）
VII  水分散性および水溶性粉末（WP、SP、WS）
VIII  ゲル製剤（GF）
IX  ダストおよびダスト様粉末（DP、DS）
シュート処理用の好ましい製剤はFS製剤である。一般に、これらの製剤は1〜800g/lの活性化合物、1〜200g/lの湿潤剤、0〜200g/lの不凍剤、0〜400g/lのバインダー、0〜200g/lの着色剤（顔料および／または染料）および溶媒、好ましくは水を含む。
【０１３８】
シュート処理用の活性化合物の好ましいFS製剤は通常、0.5〜80％の活性化合物、0.05〜5％の湿潤剤、0.5〜15％の分散剤、0.1〜5％の増粘剤、5〜20％の不凍剤、0.1〜2％の消泡剤、0〜15％の粘着付与剤または接着剤、0〜75％のフィラー／ビヒクル、および0.01〜1％の保存剤を含む。
【０１３９】
好適な湿潤剤および分散剤は特に上記の界面活性剤である。好ましい湿潤剤はアルキルナフタレンスルホネート、例えば、ジイソプロピル-またはジイソブチルナフタレンスルホネートである。好ましい分散剤は非イオン性もしくは陰イオン性分散剤または非イオン性もしくは陰イオン性分散剤の混合物である。好適な非イオン性分散剤は特に、エチレンオキシド／プロピレンオキシドブロックコポリマー、アルキルフェノールポリグリコールエーテル類およびまたトリスチリルフェノールポリグリコールエーテル、例えばポリオキシエチレンオクチルフェノールエーテル、エトキシル化イソオクチルフェノール、オクチルフェノール、ノニルフェノール、アルキルフェノールポリグリコールエーテル、トリブチルフェニルポリグリコールエーテル、トリステアリルフェニルポリグリコールエーテル、アルキルアリールポリエーテルアルコール、アルコールおよび脂肪アルコール／エチレンオキシド縮合物、エトキシル化ヒマシ油、ポリオキシエチレンアルキルエーテル類、エトキシル化ポリオキシプロピレン、ラウリルアルコールポリグリコールエーテルアセタール、ソルビトールエステルおよびメチルセルロースである。好適な陰イオン性分散剤は特にリグノスルホン酸、ナフタレンスルホン酸、フェノールスルホン酸、ジブチルナフタレンスルホン酸、アルキルアリールスルホン酸、アルキル硫酸、アルキルスルホン酸、脂肪アルコール硫酸、脂肪酸および硫酸化脂肪アルコールグリコールエーテル類のアルカリ金属塩、アルカリ土類金属塩およびアンモニウム塩、さらにアリールスルホン酸／ホルムアルデヒド縮合物、例えば、スルホン化ナフタレンおよびナフタレン誘導体のホルムアルデヒドとの縮合物、ナフタレンのまたはナフタレンスルホン酸のフェノールおよびホルムアルデヒドとの縮合物、リグノスルホネート、リグノサルファイト廃液、メチルセルロースのリン酸化または硫酸化誘導体およびポリアクリル酸塩である。
【０１４０】
不凍剤としての使用に好適なものは、原則として、水の融点を下げる全ての物質である。好適な不凍剤には、アルカノール、例えば、メタノール、エタノール、イソプロパノール、ブタノール、グリコール、グリセロール、ジエチレングリコールなどが含まれる。
【０１４１】
好適な増粘剤は、農芸化学品組成物においてかかる目的に用いることができる全ての物質、例えば、セルロース誘導体、ポリアクリル酸誘導体、キサンタン、改変粘土および微粉砕シリカである。
【０１４２】
消泡剤としての使用に好適なものは、農芸化学的活性化合物を製剤するための慣用の消泡剤である。 特に好適なものはシリコーン消泡剤およびステアリン酸マグネシウムである。
【０１４３】
保存剤としての使用に好適なものは、農芸化学品組成物においてかかる目的に用いることができる全ての保存剤である。例としては、ジクロロフェン、イソチアゾロン類、例えば、1,2-ベンズイソチアゾール-3(2H)-オン、2-メチル-2H-イソチアゾール-3-オン塩酸塩、5-クロロ-2-(4-クロロベンジル)-3(2H)-イソチアゾロン、5-クロロ-2-メチル-2H-イソチアゾール-3-オン、5-クロロ-2-メチル-2H-イソチアゾール-3-オン、5-クロロ-2-メチル-2H-イソチアゾール-3-オン塩酸塩、4,5-ジクロロ-2-シクロヘキシル-4-イソチアゾリン-3-オン、4,5-ジクロロ-2-オクチル-2H-イソチアゾール-3-オン、2-メチル-2H-イソチアゾール-3-オン、2-メチル-2H-イソチアゾール-3-オン塩化カルシウム複合体、2-オクチル-2H-イソチアゾール-3-オン、およびベンジルアルコールヘミホルマールを挙げることができる。
【０１４４】
処理後に有効成分のシュート上の接着を改良するために、接着剤／粘着付与剤を加えてもよい。好適な接着剤はEO/PO系のブロックコポリマー界面活性剤であるが、またポリビニルアルコール、ポリビニルピロリドン、ポリアクリレート、ポリメタクリレート、ポリブテン、ポリイソブテン、ポリスチレン、ポリエチレンアミン、ポリエチレンアミド、ポリエチレンイミン（Lupasol（登録商標）、Polymin（登録商標））、ポリエーテルおよびこれらのポリマーから誘導されるコポリマーでもある。
【０１４５】
土壌処理用に好適な組成物には、畔間に散布顆粒としてまたは含侵肥料顆粒として施用しうる顆粒、また、土壌に出芽前もしくは出芽後噴霧として施用する噴霧施用が含まれる。
【０１４６】
植物、特にその地上部分、とりわけ「開いた傷」および苗（とりわけ苗の葉）を処理するために好適な組成物には、噴霧施用、ダストおよびミクロ顆粒が含まれ、噴霧施用が好ましい。
【０１４７】
直接施用のための噴霧溶液を作製するための好適な製剤は次の通りである：
I  可溶性濃縮物（SL、LS）
II  分散性濃縮物（DC）
III  乳濁性濃縮物（EC）
IV  乳剤（EW、EO）
V  懸濁液（SC）
VI  水分散性および水溶性顆粒（WG）
VII  水分散性および水溶性粉末（WP、SP）
シュートを（定植前に）処理するために、種子を処理または包帯する慣用の方法のいくつか、例えば、限定されるものでないが、活性成分またはそれらの調製物で、シュートを包帯、コーティング、ダスティング、浸漬、フィルムコーティングまたはドリッピングする方法を用いることができる。例えば、処理はシュートをこの目的に好適な装置（固体または固体／液体混合パートナーのための混合装置）内で、そのまま、または水で希釈した後の活性成分製剤の所望の特別な量と、組成物がシュート上にに均一に分布するまで、混合することにより行ってもよい。
【０１４８】
適宜、その後、乾燥操作を行う。
【０１４９】
超吸収剤は一般に、超吸収剤を成長培地または圃場と混合することにより、または所望量の超吸収剤をシュートもしくは苗用に掘った穴に施用することにより施用する。後者の方法は超吸収剤の圃場への施用に好ましい。
【０１５０】
本発明の方法により、1つの成熟サトウキビ植物が多数のシュートを生じるので、伝統的な方法（Plene(登録商標)も含めて）と比較して、サトウキビ植物の再生産に必要な面積は有意に少なくなる。日本特許出願に記載の増殖方法と比較すると、本発明の方法は柔軟性がより高く、茎または茎片を任意の場所に貯蔵しかつ輸送することができ、そしてかかる増殖は農地とは無関係であり、どこにでも貯蔵できる簡単なコンテナーで行うことができる。本発明の方法はまた、価値ある農地を浪費する、現場で出芽しないサトウキビ植物を有するリスクを低下する。シュート／苗は、感受性のある最初の成長段階の間、保護され、それらの発根系が十分発生した後にだけ圃場へ移植されるかまたは周囲条件に曝されるので、とりわけ、上記の任意の処理の少なくとも１つを行えば、この方法は健康かつ元気な苗およびそれらから成長する成熟サトウキビ植物を生じる。とりわけステップ(x)および／または(xiv)、特にステップ(xiv)を行うことは、特にもしこの／これらのステップが少なくとも1種の殺菌剤および／または少なくとも1種の殺虫剤を用いる、好ましくは少なくとも1種のストロビルリン殺菌剤を用いるおよび特にピラクロストロビンを用いる処理を含めば、特に健康かつ元気な苗およびそれから成長する成熟サトウキビ植物を生じる。
【０１５１】
（実施例）
【実施例１】
【０１５２】
サトウキビ植物が1.5mの列間距離で成長する0.05ヘクタールの面積において、8月齢のサトウキビ植物の頂部を山刀でほぼ2〜2.5mの高さで切り取って除去した。除去した頂部は廃棄した。下方の残りの茎を地上近くで切断して、圃場から取り出した。取り出した茎をほぼ5〜10cmであって1つの節を含有する茎片に切断した。節の無い茎片は廃棄した。1つの節を含有する茎片を節の芽を側方に向けるようにして湿潤培地（砂床）中に置いて、茎片の各層を湿潤ココナッツ繊維層またはバーミキュライトで覆った。これらのコンテナーを25〜35℃の温度に保ち、ココナッツ繊維／バーミキュライトを定期的に湿らせた。30日後、芽からシュート（「第1世代」）が発生した。これらのシュートの頂部を切断して取り除いた。新しいシュート（「第2世代」）が第1世代の切断したシュートから発生した。第1世代シュートの頂部を切断した後30日に、第2世代シュートを節近くで切断することにより除去した。平均して、各節は3つの第2世代シュートを産生した。この時間の間、ココナッツ繊維／バーミキュライトを湿潤に保った。除去した第2世代シュートをそれぞれ、湿ったココナッツ繊維で満たした個々のポットに植えた。
【０１５３】
ポットを温室内に置き、植えたシュートから苗を25〜35℃および70〜80％湿度にて成長させた。温室にある間、シュート／苗に十分水遣りをした。温室に植えて30〜45日後に、生きた苗を順化領域に移し、15日間保った。それから、これらを数え、次いで圃場へ移植した。96,000苗を得た（平均で、各サトウキビ茎は20〜24苗を生じた）。この数は6.4ヘクタールの面積を、同じ列間距離でかつ元来の圃場における列で植物を定植するのに十分であった。
【国際調査報告】
2014511705.tif 000006
2014511705.tif 000007
2014511705.tif 000008
2014511705.tif 000009